(57)【要約】      （修正有）【課題】マルチプルイメージングモダリティを観察、制御、更新及び強調するための、光干渉断層撮影（ＯＣＴ）、シングルモードＯＣＴ、及び／又はマルチモードＯＣＴ装置及びシステム、並びにそれと共に使用する方法及び記憶媒体等の光学イメージング医用デバイス用の１つ以上のデバイス、システムを提供する。【解決手段】マルチプルイメージングモダリティの各々の画像をディスプレイに表示し、マルチプルイメージングモダリティのうちの少なくとも１つの表示された画像を変更する入力要求を受け取り、受け取った入力要求に基づいて前記マルチプルイメージングモダリティの各々に対して表示された各画像を同期して更新するように動作する１つまたは複数のプロセッサを含む。【選択図】図２
2019217263.tif 000002
【特許請求の範囲】
【請求項１】
マルチプルイメージングモダリティの各々の画像をディスプレイに表示し、
前記マルチプルイメージングモダリティのうちの少なくとも１つの前記表示された画像を変更する入力要求を受け取り、
前記受け取った入力要求に基づいて前記マルチプルイメージングモダリティの各々に対して表示された各画像を同期して更新する
ように動作する１つまたは複数のプロセッサ
を含む、イメージングデバイス。
【請求項２】
（ｉ）前記１つまたは複数のプロセッサが、前記ディスプレイの各々におけるデータを変更することによって、前記受け取った入力要求に基づいて前記マルチプルイメージングモダリティの各々に対して前記表示を変更するようにさらに動作すること、
（ｉｉ）前記１つまたは複数のプロセッサは、前記入力要求が受け取られたときに基づくまたは前記入力要求がユーザによって選択されたときに基づく特定の時点に基づいて、前記マルチプルイメージングモダリティのすべてを更新するようにさらに動作すること、
（ｉｉｉ）前記１つまたは複数のプロセッサは、前記マルチプルイメージングモダリティのうちの少なくとも第１のイメージングモダリティにコントロールバーまたはツールを表示し、前記コントロールバーまたはツールに実行された変更に基づいて前記入力要求を検出するようにさらに動作すること、
（ｉｖ）前記１つまたは複数のプロセッサは、１つまたは複数のコントロールバーまたはツールを表示し、前記１つまたは複数のコントロールバーまたはツールの各コントロールバーが前記マルチプルイメージングモダリティのそれぞれのイメージングモダリティに表示され、前記コントロールバーまたはツールのうちの１つに対して実行された変更に基づいて前記入力要求を検出するようにさらに動作すること、
（ｖ）前記１つまたは複数のプロセッサは、ステントの膨張または膨張不足を検出すること、ステントの圧着または不完全圧着を検出すること、相互位置合わせを実行すること、イメージングを実行すること、前記検出されたステントの膨張または膨張不足に関する通知を表示すること、および前記検出されたステントの圧着または不完全圧着に関する通知を表示することのうちの１つまたは複数を行うようにさらに動作すること、
（ｖｉ）前記コントロールバーまたはツールあるいは前記１つまたは複数のコントロールバーまたはツールは、双方向に移動するように動作すること、および、
（ｖｉｉ）前記コントロールバーまたはツールあるいは前記１つまたは複数のコントロールバーまたはツールの前記双方向の移動が、前記コントロールバーまたはツールあるいは前記１つまたは複数のコントロールバーまたはツールに対して回転、水平、鉛直、平行、または垂直であるか、あるいは前記コントロールバーまたはツールあるいは前記１つまたは複数のコントロールバーまたはツールに沿っていること
のうちの１つまたは複数である、請求項１に記載のイメージングデバイス。
【請求項３】
（ｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの２つ以上のモダリティを含むこと、
（ｉｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの３つ以上のモダリティを含むこと、および、
（ｉｉｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの４つ以上のモダリティを含むこと
のうちの１つまたは複数である、請求項２に記載のイメージングデバイス。
【請求項４】
前記マルチプルイメージングモダリティの前記第１のイメージングモダリティは、前記断層撮影画像または前記ＯＣＴ画像のものであり、
前記マルチプルイメージングモダリティのうちの少なくとも第２のイメージングモダリティは、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、解剖ビュー、および血管造影ビューのうちの１つまたは複数のものである、請求項３に記載のイメージングデバイス。
【請求項５】
（ｉ）前記マルチプルイメージングモダリティの第１のイメージングモダリティは、ＯＣＴ画像と、前記ＯＣＴ画像の外縁のまわりに全円で表示されたＮＩＲＡＦデータとを示すものであること、および、
（ｉｉ）少なくとも第２のイメージングモダリティは、断面長手方向ビューおよび／または３次元レンダリングを示すものまたはそれであること
のうちの１つまたは複数である、請求項３に記載のイメージングデバイス。
【請求項６】
（ｉ）前記第１のイメージングモダリティにまたはそれにより表示された第１のコントロールバーまたはツールは、前記ＮＩＲＡＦデータの色の両極端を制限するエンドポイントを規定する、および／または、少なくとも前記第２のイメージングモダリティに描かれる前記第１のイメージングモダリティの切断または区域を規定する２つのハンドルバーを有する回転する円形または半円形のコントロールバーまたはツールであり、前記第１のコントロールバーまたはツールが、円形回転で双方向に移動されるように動作すること、
（ｉｉ）前記第１のコントロールバーまたはツールは、前記第１のコントロールバーまたはツールが前記第１のイメージングモダリティに関して所定の角度または設定された角度で傾けられるように表示されること、
（ｉｉｉ）前記第１のコントロールバーまたはツールは、前記第１のコントロールバーまたはツールが、前記第１のイメージングモダリティに関して−４５度、４５度、−５０度、５０度、−５５度、５５度、４０度、−４０度、または所定の角度もしくは設定された角度のうちの１つで傾けられるように表示されること、および、
（ｉｖ）前記プロセッサは、前記第１のコントロールバーまたはツールの有無にかかわらず前記第１のイメージングモダリティを表示するようにさらに動作すること
のうちの１つまたは複数である、請求項５に記載のイメージングデバイス。
【請求項７】
（ｉ）前記マルチプルイメージングモダリティの第２のイメージングモダリティは、カーペットビューで表示されたＮＩＲＡＦデータを示すものであること、
（ｉｉ）前記１つまたは複数のコントロールバーまたはツールのうちの第２のコントロールバーまたはツールは、少なくとも前記第１のイメージングモダリティ内のまたはその上の前記第１のコントロールバーまたはツールによって指定された対応区域と一致するカーペットビューの半分に表示され、前記第２のコントロールバーまたはツールが、２つのハンドルを有し、双方向に移動されるように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っており、前記第２のコントロールバーまたはツールが、前記第１のコントロールバーまたはツールに同期されるか、それと相互作用するか、またはそれに対応するものであること、
（ｉｉｉ）ＮＩＲＡＦ信号ゲージは、ＮＩＲＡＦ信号強度を強調表示するために前記第２のイメージングモダリティにより表示されること、および、
（ｉｖ）前記ＮＩＲＡＦ信号ゲージは、最大ＮＩＲＡＦ信号強度を矢印を使用して強調表示されること
のうちの１つまたは複数である、請求項５に記載のイメージングデバイス。
【請求項８】
（ｉ）前記マルチプルイメージングモダリティの第３のイメージングモダリティは、３次元（３Ｄ）ハーフパイプ血管ビューを示すものであること、
（ｉｉ）前記ＮＩＲＡＦデータは、前記第３のイメージングモダリティの内壁に表示されること、および、
（ｉｉｉ）前記１つまたは複数のコントロールバーまたはツールのうちの第３のコントロールバーまたはツールは、少なくとも前記第１のイメージングモダリティ内のまたはその上の前記第１のコントロールバーまたはツールによって指定された対応区域と一致する３Ｄハーフパイプ血管ビューに表示され、前記第３のコントロールバーまたはツールが、２つのハンドルを有し、双方向に移動されるように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っており、前記第３のコントロールバーまたはツールが、前記第１のコントロールバーまたはツールに同期されるか、それと相互作用するか、またはそれに対応するものであること
のうちの１つまたは複数である、請求項５に記載のイメージングデバイス。
【請求項９】
（ｉ）前記マルチプルイメージングモダリティの第４のイメージングモダリティは、解剖ビューまたは血管造影ビューを示すものであること、
（ｉｉ）前記ＮＩＲＡＦデータは、前記第４のイメージングモダリティの前記解剖ビューまたは前記血管造影ビューに示された血管に沿って表示されること、および、
（ｉｉｉ）前記１つまたは複数のコントロールバーまたはツールのうちの第４のコントロールバーまたはツールは、少なくとも前記第１のイメージングモダリティ内のまたはその上の前記第１のコントロールバーまたはツールによって指定された対応区域と一致する前記解剖ビューまたは前記血管造影ビューに表示され、前記第４のコントロールバーまたはツールが、前記血管に沿って水平方向に現れ、前記第４のコントロールバーまたはツールが、前記第１のコントロールバーまたはツールに同期されるか、それと相互作用するか、またはそれに対応するものであること
のうちの１つまたは複数である、請求項５に記載のイメージングデバイス。
【請求項１０】
第２のイメージングモダリティは、前記断層撮影画像または前記ＯＣＴ画像により表示された管腔径または管腔プロフィルのものである、請求項５に記載のイメージングデバイス。
【請求項１１】
コントロールバーまたはツールが前記第１のイメージングモダリティに対して移動または変更されることに応じて、および／または、コントロールバーまたはツールが他のイメージングモダリティのうちの１つに対して移動または変更されることに応じて、前記１つまたは複数のプロセッサは、
カテーテルの周縁を検出し、前記カテーテルまたは周縁の中心を見出し、前記第１のイメージングモダリティの前記画像のこの場所にドットを描き、
半円を作り出すために前記断層画像または前記ＯＣＴ画像の前記外円の前記縁部に−４５度、４５度、−５０度、５０度、−５５度、５５度、４０度、−４０度、または所定の角度もしくは設定された角度のうちの１つで対角線を作り出すように前記カテーテルの中心点を通して線を引き、前記円の円弧が前記長手方向ビューの半分を示し、
前記マルチプルイメージングモダリティのうちのアクティブイメージングモダリティを決定し、
前記１つまたは複数のコントロールバーまたはツールおよび前記アクティブイメージングモダリティの新しい方位／位置を計算する
ように動作する、請求項５に記載のイメージングデバイス。
【請求項１２】
前記１つまたは複数のプロセッサが前記１つまたは複数のコントロールバーまたはツールおよび前記アクティブイメージングモダリティの新しい方位／位置の前記計算を終了したことに応じて、前記１つまたは複数のプロセッサは、
前記マルチプルイメージングモダリティの各イメージングモダリティ内の前記１つまたは複数のコントロールバーまたはツールを更新し、
任意のＮＩＲＡＦデータを更新し、その対応する表示を変更し、
第２のイメージングモダリティを更新して垂直にスクロールし、任意の関連するＮＩＲＡＦデータおよびその対応する表示を更新し、
第３のイメージングモダリティを更新して垂直にスクロールし、ＮＩＲＡＦデータが前記血管に重ね合わされた状態で対応する３次元（３Ｄ）ハーフパイプ血管ビューを更新し、
ＮＩＲＡＦデータまたはリングの前記選択された部分に一致する最大または最高ＮＩＲＡＦ信号強度を強調表示するために矢印を再位置づけることによってＮＩＲＡＦゲージを更新する
ようにさらに動作する、請求項１１に記載のイメージングデバイス。
【請求項１３】
タッチスクリーンをさらに含み、
前記１つまたは複数のプロセッサは、
前記タッチスクリーンを通してまたはそれを用いて受け取った入力を介して、選択された関心領域を検出すること、
前記少なくとも１つのイメージングモダリティビューまたは画像の半円を移動させるための、あるいは前記少なくとも１つのイメージングモダリティビューまたは画像を移動させるための、前記タッチスクリーンの区域の上でのユーザの指またはツールによる単一の押し／タッチおよびドラッグを検出し、前記ユーザの前記指またはツールによる前記単一の押し／タッチの解除に基づいて、前記少なくとも１つのイメージングモダリティビューまたは画像の新しい方位／位置を計算および更新すること、
前記少なくとも１つのイメージングモダリティビューまたは画像に作られた２つの同時タッチポイントを検出し、前記少なくとも１つのイメージングモダリティの前記画像を描き直し、その結果、２つのハンドルを有するコントロールバーまたはツールが前記描き直された画像を定義し、前記２つのハンドルの両方が、前記２つのタッチポイントに基づく前記描き直された画像の円弧の近くまたは上に整列し、前記２つのタッチポイントの解除に基づいて前記少なくとも１つのイメージングモダリティ画像またはビューの前記新しい方位／位置を計算および更新することと、
前記ユーザの指またはツールによってなされ、断層画像または光干渉断層撮影（ＯＣＴ）画像を示す前記少なくとも１つのイメージングモダリティになされた２つの同時タッチポイントを検出し、前記指または前記ツールは所定の位置に保持され、前記２つのタッチポイントが、前記少なくとも１つのイメージングモダリティに表示された回転コントロールバーを移動させる円運動で前記断層画像または前記ＯＣＴ画像のまわりで掃引され、前記２つのタッチポイントの解除に基づいて前記少なくとも１つのイメージングモダリティ画像またはビューの前記新しい方位／位置を計算および更新することと
のうちの１つまたは複数を行うようにさらに動作する、請求項１に記載のイメージングデバイス。
【請求項１４】
ディスプレイにおけるマルチプルイメージングモダリティを制御、観察、および／または、更新するための方法であって、
マルチプルイメージングモダリティの各々の画像を前記ディスプレイに表示することと、
前記マルチプルイメージングモダリティのうちの少なくとも１つの前記表示された画像を変更する入力要求を受け取ることと、
前記受け取った入力要求に基づいて前記マルチプルイメージングモダリティの各々に対して表示された各画像を同期して更新することと
を含む、方法。
【請求項１５】
（ｉ）前記ディスプレイの各々におけるデータを変更することによって、前記受け取った入力要求に基づいて前記マルチプルイメージングモダリティの各々に対して前記表示を変更することと、
（ｉｉ）前記入力要求が受け取られたときに基づくまたは前記入力要求がユーザによって選択されたときに基づく特定の時点に基づいて、前記マルチプルイメージングモダリティのすべてを更新することと、
（ｉｉｉ）前記マルチプルイメージングモダリティのうちの少なくとも第１のイメージングモダリティにコントロールバーまたはツールを表示し、前記コントロールバーまたはツールに実行された変更に基づいて前記入力要求を検出することであって、前記コントロールバーまたはツールが、双方向に移動するように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っていることと、
（ｉｖ）１つまたは複数のコントロールバーまたはツールを表示し、前記１つまたは複数のコントロールバーまたはツールの各コントロールバーが前記マルチプルイメージングモダリティのそれぞれのイメージングモダリティに表示され、前記コントロールバーまたはツールのうちの１つに実行された変更に基づいて入力要求を検出することであって、前記１つまたは複数のコントロールバーまたはツールが、双方向に移動するように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っていることと、
（ｖ）ステントの膨張または膨張不足を検出すること、ステントの圧着または不完全圧着を検出すること、相互位置合わせを実行すること、イメージングを実行すること、前記検出されたステントの膨張または膨張不足に関する通知を表示すること、および前記検出されたステントの圧着または不完全圧着に関する通知を表示することのうちの１つまたは複数を行うことと、
のうちの１つまたは複数をさらに含む、請求項１４に記載の方法。
【請求項１６】
（ｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの２つ以上のモダリティを含むこと、
（ｉｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの３つ以上のモダリティを含むこと、および、
（ｉｉｉ）前記マルチプルイメージングモダリティは、断層撮影画像、光干渉断層撮影（ＯＣＴ）画像、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、および血管造影ビューのうちの４つ以上のモダリティを含むこと
のうちの１つまたは複数である、請求項１５に記載の方法。
【請求項１７】
前記マルチプルイメージングモダリティの前記第１のイメージングモダリティは、前記断層撮影画像または前記ＯＣＴ画像のものであり、
前記マルチプルイメージングモダリティのうちの少なくとも第２のイメージングモダリティは、近赤外蛍光（ＮＩＲＡＦ）画像、カーペットビューの近赤外蛍光（ＮＩＲＡＦ）、３次元（３Ｄ）レンダリング、血管の３Ｄレンダリング、ハーフパイプビューまたは表示の血管の３Ｄレンダリング、管腔プロフィル、管腔径表示、長手方向ビュー、解剖ビュー、および血管造影ビューのうちの１つまたは複数のものである、請求項１６に記載の方法。
【請求項１８】
（ｉ）前記マルチプルイメージングモダリティの第１のイメージングモダリティは、ＯＣＴ画像と、前記ＯＣＴ画像の外縁のまわりに全円で表示されたＮＩＲＡＦデータとを示すものであること、および、
（ｉｉ）少なくとも第２のイメージングモダリティは、断面長手方向ビューおよび／または３次元レンダリングを示すものまたはそれであること
のうちの１つまたは複数である、請求項１６に記載の方法。
【請求項１９】
（ｉ）前記第１のイメージングモダリティにまたはそれにより表示された第１のコントロールバーまたはツールは、前記ＮＩＲＡＦデータの色の両極端を制限するエンドポイントを規定する、および／または、少なくとも前記第２のイメージングモダリティに描かれる前記第１のイメージングモダリティの切断または区域を規定する２つのハンドルバーを有する回転する円形または半円形のコントロールバーまたはツールであり、前記第１のコントロールバーまたはツールが、円形回転で双方向に移動されるように動作すること、
（ｉｉ）前記第１のコントロールバーまたはツールは、前記第１のコントロールバーまたはツールが前記第１のイメージングモダリティに関して所定の角度または設定された角度で傾けられるように表示されること、
（ｉｉｉ）前記第１のコントロールバーまたはツールは、前記第１のコントロールバーまたはツールが、前記第１のイメージングモダリティに関して−４５度、４５度、−５０度、５０度、−５５度、５５度、４０度、−４０度、または所定の角度もしくは設定された角度のうちの１つで傾けられるように表示されること、および、
（ｉｖ）前記プロセッサは、前記第１のコントロールバーまたはツールの有無にかかわらず前記第１のイメージングモダリティを表示するようにさらに動作すること
のうちの１つまたは複数である、請求項１８に記載の方法。
【請求項２０】
（ｉ）前記マルチプルイメージングモダリティの第２のイメージングモダリティは、カーペットビューで表示されたＮＩＲＡＦデータを示すものであること、
（ｉｉ）前記１つまたは複数のコントロールバーまたはツールのうちの第２のコントロールバーまたはツールは、少なくとも前記第１のイメージングモダリティ内のまたはその上の前記第１のコントロールバーまたはツールによって指定された対応区域と一致するカーペットビューの半分に表示され、前記第２のコントロールバーまたはツールが、２つのハンドルを有し、双方向に移動されるように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っており、前記第２のコントロールバーまたはツールが、前記第１のコントロールバーまたはツールに同期されるか、それと相互作用するか、またはそれに対応するものであること、
（ｉｉｉ）ＮＩＲＡＦ信号ゲージは、ＮＩＲＡＦ信号強度を強調表示するために前記第２のイメージングモダリティにより表示されること、および、
（ｉｖ）前記ＮＩＲＡＦ信号ゲージは、最大ＮＩＲＡＦ信号強度を矢印を使用して強調表示されること
のうちの１つまたは複数である、請求項１８に記載の方法。
【請求項２１】
（ｉ）前記マルチプルイメージングモダリティの第３のイメージングモダリティは、３次元（３Ｄ）ハーフパイプ血管ビューを示すものであること、
（ｉｉ）前記ＮＩＲＡＦデータは、前記第３のイメージングモダリティの内壁に表示されること、および、
（ｉｉｉ）前記１つまたは複数のコントロールバーまたはツールのうちの第３のコントロールバーまたはツールは、少なくとも前記第１のイメージングモダリティ内のまたはその上の前記第１のコントロールバーまたはツールによって指定された対応区域と一致する３Ｄハーフパイプ血管ビューに表示され、前記第３のコントロールバーまたはツールが、２つのハンドルを有し、双方向に移動されるように動作し、前記双方向の移動が、前記コントロールバーまたはツールあるいは前記１つまたは複数のコントロールバーまたはツールに対して回転、水平、鉛直、平行、または垂直のうちの１つであるか、あるいは前記コントロールバーまたはツールあるいは前記１つまたは複数のコントロールバーまたはツールに沿っており、前記第３のコントロールバーまたはツールが、前記第１のコントロールバーまたはツールに同期されるか、それと相互作用するか、またはそれに対応するものであること
のうちの１つまたは複数である、請求項１８に記載の方法。
【請求項２２】
（ｉ）前記マルチプルイメージングモダリティの第４のイメージングモダリティは、解剖ビューまたは血管造影ビューを示すものであること、
（ｉｉ）前記ＮＩＲＡＦデータは、前記第４のイメージングモダリティの前記解剖ビューまたは前記血管造影ビューに示された血管に沿って表示されること、および、
（ｉｉｉ）前記１つまたは複数のコントロールバーまたはツールのうちの第４のコントロールバーまたはツールは、少なくとも前記第１のイメージングモダリティ内のまたはその上の前記第１のコントロールバーまたはツールによって指定された対応区域と一致する前記解剖ビューまたは前記血管造影ビューに表示され、前記第４のコントロールバーまたはツールが、前記血管に沿って水平方向に現れ、前記第４のコントロールバーまたはツールが、前記第１のコントロールバーまたはツールに同期されるか、それと相互作用するか、またはそれに対応するものであること
のうちの１つまたは複数である、請求項１８に記載の方法。
【請求項２３】
第２のイメージングモダリティは、前記断層撮影画像または前記ＯＣＴ画像により表示された管腔径または管腔プロフィルのものである、請求項１８に記載の方法。
【請求項２４】
コントロールバーまたはツールが前記第１のイメージングモダリティに対して移動または変更されることに応じて、および／または、コントロールバーまたはツールが他のイメージングモダリティのうちの１つに対して移動または変更されることに応じて、
カテーテルの周縁を検出し、前記カテーテルまたは周縁の中心を見出し、前記第１のイメージングモダリティの前記画像のこの場所にドットを描くことと、
半円を作り出すために前記断層画像または前記ＯＣＴ画像の外円の縁部に−４５度で対角線を作り出すように前記カテーテルの中心点を通して線を引くことであり、前記円の円弧が前記長手方向ビューの半分を示すことと、
前記マルチプルイメージングモダリティのうちのアクティブイメージングモダリティを決定することと、
前記１つまたは複数のコントロールバーまたはツールおよび前記アクティブイメージングモダリティの新しい方位／位置を計算することと
をさらに含む、請求項１８に記載の方法。
【請求項２５】
前記１つまたは複数のコントロールバーまたはツールおよび前記アクティブイメージングモダリティの前記新しい方位／位置の前記計算ステップの終了に応じて、
前記マルチプルイメージングモダリティの各イメージングモダリティ内の前記１つまたは複数のコントロールバーまたはツールを更新することと、
任意のＮＩＲＡＦデータを更新し、その対応する表示を変更することと、
第２のイメージングモダリティを更新して垂直にスクロールし、任意の関連するＮＩＲＡＦデータおよびその対応する表示を更新することと、
第３のイメージングモダリティを更新して垂直にスクロールし、ＮＩＲＡＦデータが前記血管に重ね合わされた状態で対応する３次元（３Ｄ）ハーフパイプ血管ビューを更新することと、
ＮＩＲＡＦデータまたはリングの前記選択された部分に一致する最大または最高ＮＩＲＡＦ信号強度を強調表示するために矢印を再位置づけることによってＮＩＲＡＦゲージを更新することと
をさらに含む、請求項２４に記載の方法。
【請求項２６】
タッチスクリーンを介して、
前記タッチスクリーンを通してまたはそれを用いて受け取った入力を介して、選択された関心領域を検出することと、
前記少なくとも１つのイメージングモダリティビューまたは画像の半円を移動させるための、あるいは前記少なくとも１つのイメージングモダリティビューまたは画像を移動させるための、前記タッチスクリーンの区域の上でのユーザの指またはツールによる単一の押し／タッチおよびドラッグを検出し、前記ユーザの前記指またはツールによる前記単一の押し／タッチの解除に基づいて、前記少なくとも１つのイメージングモダリティビューまたは画像の新しい方位／位置を計算および更新することと、
前記少なくとも１つのイメージングモダリティビューまたは画像に作られた２つの同時タッチポイントを検出し、前記少なくとも１つのイメージングモダリティの前記画像を描き直し、その結果、２つのハンドルを有するコントロールバーまたはツールが前記描き直された画像を定義し、前記２つのハンドルの両方が、前記２つのタッチポイントに基づく前記描き直された画像の円弧の近くまたは上に整列し、前記２つのタッチポイントの解除に基づいて前記少なくとも１つのイメージングモダリティ画像またはビューの前記新しい方位／位置を計算および更新することと、
前記ユーザの指またはツールによってなされ、断層画像または光干渉断層撮影（ＯＣＴ）画像を示す前記少なくとも１つのイメージングモダリティになされた２つの同時タッチポイントを検出し、前記指または前記ツールは所定の位置に保持され、前記２つのタッチポイントが、前記少なくとも１つのイメージングモダリティに表示された回転コントロールバーを移動させる円運動で前記断層画像または前記ＯＣＴ画像のまわりで掃引され、前記２つのタッチポイントの解除に基づいて前記少なくとも１つのイメージングモダリティ画像またはビューの前記新しい方位／位置を計算および更新することと
をさらに含む、請求項１４に記載の方法。
【請求項２７】
ディスプレイにおけるマルチプルイメージングモダリティを制御、観察、および／または、更新する方法をコンピュータに実行させるための少なくとも１つのプログラムを格納する非一時的なコンピュータ可読記憶媒体であって、
前記方法は、
マルチプルイメージングモダリティの各々の画像を前記ディスプレイに表示することと、
前記マルチプルイメージングモダリティのうちの少なくとも１つの前記表示された画像を変更する入力要求を受け取ることと、
前記受け取った入力要求に基づいて前記マルチプルイメージングモダリティの各々に対して表示された各画像を同期して更新することと
を含む、非一時的コンピュータ可読記憶媒体。
【発明の詳細な説明】
【技術分野】
【０００１】
関連出願の相互参照
本出願は、２０１８年５月３日に出願された米国特許出願第６２／６６６，２５２号に関連し、その優先権を主張し、その全開示は、その全体が参照により本明細書に組み込まれる。
【０００２】
本開示は、一般に、コンピュータイメージングに、および／または光学イメージングの分野に関し、特に、限定はしないが、光干渉断層撮影（Ｏｐｔｉｃａｌ  Ｃｏｈｅｒｅｎｃｅ  Ｔｏｍｏｇｒａｐｈｙ：ＯＣＴ）、マルチモードＯＣＴ（ＭＭＯ−ＯＣＴ）、近赤外蛍光（ＮＩＲＡＦ）などのようなマルチプルイメージングモダリティ（ｍｕｌｔｉｐｌｅ  ｉｍａｇｉｎｇ  ｍｏｄａｌｉｔｉｅｓ）を使用するためのデバイス、システム、方法、および記憶媒体に関する。ＯＣＴ用途の例は、限定はしないが、胃腸、心臓、および／または眼の用途などの生物体のイメージング、評価、診断を含み、限定はしないが、１つまたは複数の光学プローブ、１つまたは複数のカテーテル、１つまたは複数の内視鏡、１つまたは複数のカプセル、および１つまたは複数の針（例えば、生検針）などの１つまたは複数の光学機器を介して得られる。マルチプルイメージングモダリティを使用および／または制御する装置またはシステムを使用して、用途におけるサンプルまたは対象物を特性決定し、検査し、および／または診断し、および／またはその粘度を測定するための１つまたは複数のデバイス、システム、方法、および記憶媒体が、本明細書で論じられる。
【背景技術】
【０００３】
光干渉断層撮影（ＯＣＴ）は、組織または材料の高解像度断面画像を得るための技法であり、実時間可視化を可能にする。ＯＣＴ技法の目的は、フーリエ変換またはマイケルソン干渉計を介するなどの干渉光学系または干渉法を使用することによって光の時間遅延を測定することである。光源からの光が、送り出され、スプリッタ（例えば、ビームスプリッタ）を用いて参照アームとサンプル（または測定）アームとに分かれる。参照ビームは参照アームの参照ミラー（部分反射要素または他の反射要素）から反射され、一方、サンプルビームはサンプルアームのサンプルから反射または散乱される。両方のビームは、スプリッタにおいて結合し（または再結合され）、干渉縞を発生する。干渉計の出力は、限定はしないが、分光計（例えば、フーリエ変換赤外分光計）などの１つまたは複数のデバイスにおける、限定はしないが、フォトダイオードまたはマルチアレイカメラなどの１つまたは複数の検出器により検出される。サンプルアームの経路長が参照アームの経路長と光源のコヒーレンス長の範囲内で一致すると、干渉縞が発生される。出力ビームを評価することによって、入力放射のスペクトルを周波数の関数として導き出すことができる。干渉縞の周波数は、サンプルアームと参照アームとの間の距離に対応する。周波数が高いほど、経路長差が大きい。
【０００４】
経皮的冠動脈介入（ＰＣＩ）などの血管診断および介入処置中に、光干渉断層撮影（ＯＣＴ）のユーザは、時には、情報の過剰状態のために他のモダリティと関連して断層撮影画像を理解するのに苦労し、それは、画像解釈に混乱をもたらす。
【０００５】
それゆえに、例えば、必要とされる血管情報を操作するための直観的手段を提供することにより血管の分子構造をより完全に理解するための方法を提供するインタフェースを使用することによって、マルチプルイメージングモダリティを使用、制御、および／または強調するための少なくとも１つのイメージングまたは光学デバイス、システム、方法、および記憶媒体を提供することが望ましいであろう。
【発明の概要】
【発明が解決しようとする課題】
【０００６】
それに応じて、本開示の広義の目的は、マルチプルイメージングモダリティを使用および／または制御するためのイメージング（例えば、ＯＣＴ、ＮＩＲＡＦなど）装置、システム、方法、および記憶媒体を提供することである。さらに、本開示の広義の目的は、干渉計（例えば、ＳＤ−ＯＣＴ、ＳＳ−ＯＣＴなど）などの干渉光学系を使用するＯＣＴデバイス、システム、方法、および記憶媒体を提供することである。
【課題を解決するための手段】
【０００７】
１つまたは複数の実施形態は、限定はしないが、血管の分子構造を含む情報を理解するためのおよび血管情報を操作する能力を提供するための少なくとも１つの直観的なグラフィカルユーザインタフェース（ＧＵＩ）、方法、デバイス、装置、システム、または記憶媒体を提供する。
【０００８】
本開示は、限定はしないが、断層撮影画像、カーペットビュー（ｃａｒｐｅｔ  ｖｉｅｗ）での近赤外線蛍光（ＮＩＲＡＦ）情報、ハーフパイプ表示での冠状血管の３次元（３Ｄ）レンダリング、管腔径表示、長手方向ビュー、および血管造影法ビューなどのすべてのイメージングモダリティにおける関心領域にＯＣＴユーザが注力できるようにする手段を説明する。以下で説明するように、表示されたイメージングモダリティのすべては、ユーザが各表示を同期して変更および更新し、必要に応じてＮＩＲＡＦデータを強調表示できるようにするいくつかのコントロールバーのうちのいずれか１つによって制御することができる。これにより、ユーザは、マルチモダリティを使用して構造血管情報のフルビューを得ることができ、さらに、より的を絞った関心対象のための機能（ｆｕｎｃｔｉｏｎ）の設定を可能にする。
【０００９】
以下のパラグラフは、特定の説明的な実施形態を説明する。他の実施形態は、代替、等価物、および変更を含むことができる。追加として、説明的な実施形態は、いくつかの新規な特徴（ｆｅａｔｕｒｅ）を含むことができ、特定の特徴は、本明細書で説明するデバイス、システム、および方法のいくつかの実施形態にとって必須でないことがある。
【００１０】
本開示の他の態様に応じて、ＯＣＴおよび／または他のイメージングモダリティ技法を使用する１つまたは複数の追加のデバイス、１つまたは複数のシステム、１つまたは複数の方法、および１つまたは複数の記憶媒体が、本明細書で論じられる。本開示のさらなる特徴は、以下の説明からおよび添付の図面を参照して、一部で理解可能になり、一部で明白になる。
【００１１】
本開示の様々な態様を示すために、同様の数字は同様の要素を示し、図面には、使用され得る簡単化された形態が示されるが、しかしながら、本開示は、図示の正確な構成および手段によってまたはそれに限定されないことを理解されたい。本明細書の主題を製作および使用する際に当業者を支援するために、添付の図面および図が参照される。
【図面の簡単な説明】
【００１２】
【図１】図１は、本開示の１つまたは複数の態様によるマルチプルイメージングモダリティの観察および制御を実行するために使用することができるシステムの少なくとも１つの実施形態を示す概略図である。
【図２】図２は、本開示の１つまたは複数の態様によるマルチプルイメージングモダリティの観察および制御を実行するために使用することができるグラフィカルユーザインタフェース（ＧＵＩ）の少なくとも１つの実施形態の例の図である。
【図３】図３は、本開示の１つまたは複数の態様によるマルチプルイメージングモダリティの観察および制御を実行するために使用することができるＧＵＩの少なくとも１つの実施形態の例によって示されたコントロールバーを有する画像の部分図である。
【図４】図４は、本開示の１つまたは複数の態様によるマルチプルイメージングモダリティの観察および制御を実行するために使用することができるＧＵＩの少なくとも１つの実施形態の例によって示されたコントロールバーを有する画像の部分図である。
【図５Ａ】図５Ａは、本開示の１つまたは複数の態様によるトモビュー（ｔｏｍｏ  ｖｉｅｗ）とハーフパイプ血管ビュー（ｈａｌｆ  ｐｉｐｅ  ｖｅｓｓｅｌ  ｖｉｅｗ）と間の相関を示す、マルチプルイメージングモダリティの観察および制御を実行するために使用することができるＧＵＩの少なくとも１つの実施形態の画像の例の図である。
【図５Ｂ】図５Ｂは、本開示の１つまたは複数の態様によるトモビューとハーフパイプ血管ビューと間の相関を示す、マルチプルイメージングモダリティの観察および制御を実行するために使用することができるＧＵＩの少なくとも１つの実施形態の画像の例の図である。
【図６】図６は、本開示の１つまたは複数の態様によるマルチプルイメージングモダリティの観察および制御を実行するために使用することができるいくつかのコントロールバーの配置を有するＧＵＩの少なくとも１つの実施形態の例を示す図である。
【図７】図７は、本開示の１つまたは複数の態様による、入力がコントロールバーから受け取られたときにマルチプルイメージングモダリティに対して制御を実行する方法を示す流れ図である。
【図８】図８Ａ〜図８Ｂは、それぞれ、本開示の１つまたは複数の態様による、調節される前および調節された後のコントロールバーの少なくとも１つの実施形態の例を示す図である。
【図９】図９は、本開示の１つまたは複数の態様による血管ビューの管腔径を示すイメージングモダリティを使用しているＧＵＩの少なくとも１つの実施形態の例を示す図である。
【図１０】図１０は、本開示の１つまたは複数の態様による断面長手方向血管ビュー（ｃｒｏｓｓ−ｓｅｃｔｉｏｎａｌ，ｌｏｎｇｉｔｕｄｉｎａｌ  ｖｅｓｓｅｌ  ｖｉｅｗ）を示すイメージングモダリティを使用しているＧＵＩの少なくとも１つの実施形態の例を示す図である。
【図１１】図１１は、本開示の１つまたは複数の態様による、画像が１つまたは複数のＧＵＩによって表示されているそれぞれの代替実施形態の部分図である。
【図１２】図１２は、本開示の１つまたは複数の態様による、画像が１つまたは複数のＧＵＩによって表示されているそれぞれの代替実施形態の部分図である。
【図１３】図１３は、本開示の１つまたは複数の態様による、画像が１つまたは複数のＧＵＩによって表示されているそれぞれの代替実施形態の部分図である。
【図１４】図１４は、本開示の１つまたは複数の態様による、血管造影デバイスまたはシステムのためのマルチプルイメージングモダリティを使用しているＧＵＩの少なくとも１つの実施形態の例を示す図である。
【図１５Ａ】図１５Ａは、本開示の１つまたは複数の態様による、マルチプルイメージングモダリティを利用するためのＯＣＴ装置またはシステムの少なくとも１つの実施形態を示す図である。
【図１５Ｂ】図１５Ｂは、本開示の１つまたは複数の態様による、マルチプルイメージングモダリティを利用するためのＯＣＴ装置またはシステムの少なくとも別の実施形態を示す図である。
【図１５Ｃ】図１５Ｃは、本開示の１つまたは複数の態様による、マルチプルイメージングモダリティを利用するためのＯＣＴ装置またはシステムの少なくともさらなる実施形態を示す図である。
【図１６】図１６は、本開示の１つまたは複数の態様による、イメージングの機能（ｆｅａｔｕｒｅ）、機能（ｆｕｎｃｔｉｏｎ）、または技法を実行する方法を示す流れ図である。
【図１７】図１７は、本開示の１つまたは複数の態様による、本明細書で論じる装置またはシステムまたは１つまたは複数の方法の１つまたは複数の実施形態で使用することができるコンピュータの一実施形態の概略図である。
【図１８】図１８は、本開示の１つまたは複数の態様による、本明細書で論じるイメージング装置またはシステムまたは方法の１つまたは複数の実施形態で使用することができるコンピュータの別の実施形態の概略図である。
【発明を実施するための形態】
【００１３】
マルチプルイメージング技法またはモダリティ（限定はしないが、ＯＣＴ、ＮＩＲＡＦなどのような）を使用して、組織または対象物もしくはサンプルを特性決定するための１つまたは複数のデバイス、システム、方法、および記憶媒体が本明細書で開示される。本開示の装置、システム、方法、および／またはコンピュータ可読記憶媒体の１つまたは複数の実施形態によって実行することができる本開示のいくつかの実施形態が、図１から図１８で図式的に視覚的に説明される。
【００１４】
次に図の詳細を参照すると、イメージングモダリティは、本明細書で論じるような１つまたは複数の方法で表示することができる。本明細書で論じる１つまたは複数の表示は、１つまたは複数の表示のユーザが、限定はしないが、ＯＣＴ、ＮＩＲＡＦなどのようなマルチプルイメージング技法またはモダリティを使用、制御、および／または強調することを可能にすることができ、ユーザが、マルチプルイメージング技法またはモダリティを同期して使用、制御、および／または強調することを可能にすることができる。
【００１５】
図１に図式的に示すように、本開示のマルチプルイメージングモダリティを視覚化、強調、および／または制御するための１つまたは複数の実施形態は、限定はしないが、医療処置計画および実行などの１つまたは複数の所定のまたは所望の処置に関連することができる。例えば、システム２は、限定はしないが、ベッドまたはスライス位置などの、医療処置（例えば、アブレーション）計画および／または実行で使用する情報を要求するためにイメージスキャナ５と通信することができ、イメージスキャナ５は、臨床医がイメージスキャナ５を使用して患者の走査を介して情報を得た後、要求された情報を画像とともにシステム２に送ることができる。別の例として、システム２は、医療処置計画および／または実行を遂行するときに患者から情報を得るために、ロケータデバイス３（患者搭載デバイスとすることができ、限定はしないが、病変または腫瘍、対象物、対象者またはサンプルの別の所定部分、などのような生物体の位置を突き止めるのを支援するために図示のように回転することができる画像平面ローカライザなど）と通信し、ロケータデバイス３により使用され得る。システム２は、さらに、医療処置計画および／または実行を容易にし、支援するために、患者の画像を送受するのにＰＡＣＳ４と通信することができる。計画が立てられた後、臨床医は、医療処置チャートまたは計画を調べて目標の生物体の形状および／またはサイズを理解し、それにより、イメージングおよび／または医療処置を行うために、システム２を医療処置／イメージングデバイス（ｉｍａｇｉｎｇ  ｄｅｖｉｃｅ）１（例えば、イメージングデバイス、ＯＣＴデバイス、アブレーションデバイスなど）とともに使用することができる。医療処置／イメージングデバイス１、システム２、ロケータデバイス３、ＰＡＣＳ４、および走査デバイス５の各々は、限定はしないが、直接に（コミュニケーションネットワークを介して）または間接に（他のデバイス１、３、または５の１つまたは複数を介して、ＰＡＣＳ４およびシステム２の１つまたは複数を介して、臨床医対話を介して、など）を含む当業者に知られている任意の方法で通信することができる。
【００１６】
図２は、本開示の少なくとも第１の実施形態によるデフォルト表示としての４つのイメージングモダリティを含むマルチモダリティグラフィカルユーザインタフェース（ＧＵＩまたはＵＩ）２０を示す。例えば、イメージングモダリティ１（ＩＭ１）３０は、１つまたは複数の実施形態では、ＯＣＴ画像の外縁のまわりに全円で表示されたＮＩＲＡＦデータ（ＮＳ１）４０と、２つのハンドルバーおよび中心の円をもつ回転コントロールバー（ＣＢ１）５０とを有するＯＣＴ画像２１を示し、回転コントロールバー（ＣＢ１）５０は、デフォルトで−４５度またはほぼ−４５度に傾けられた（ＩＭ１３０を通る左から右に延びる水平軸に対して）ＮＩＲＡＦデータの半分に重ね合わされマージされる。本開示の−４５度の角度についての他の考察は、やはり、修正または変更されてもよく、あるいは本明細書において論じるように異なる角度に自動的にまたは手動で設定されてもよい。１つまたは複数の他の実施形態では、方位角は、所定の角度またはユーザによって望まれる角度、例えば、９０度（または−９０度）、４５度、４０度（または−４０度）、５０度または−５０度、あるいは３６０度範囲内の任意の他の方位とすることができる。１つまたは複数の実施形態は、機能（ｆｅａｔｕｒｅ）オプション２２（例えば、アンギオ制御（ａｎｇｉｏ  ｃｏｎｔｒｏｌ）、トモ制御、血管制御など）を含むことができ、ユーザがこれらの機能（ｆｅａｔｕｒｅ）オプション２２のうちの１つの上にマウスアイコンまたはポインタを強調表示すると、ドロップダウンメニューが、選ばれた機能（ｆｅａｔｕｒｅ）オプション２２に関連する機能（ｆｅａｔｕｒｅ）またはオプションとともに現れ得る。例えば、アンギオ制御では、１つまたは複数の実施形態は、アンギオ画像に重ね合わされたＮＩＲＡＦ信号を観察するためのオプションを提供することができ、１つまたは複数の実施形態は、アンギオ画像に重ねられた既存のステントを示すためのステントオプションを示すことができる。別の例として、トモ制御では、オプションは、以下のもののうちの１つまたは複数を見せるためのものとすることができる。ＮＩＲＡＦ信号、ステント、ＥＥＬ（外弾性板、それは、画像の所定の場所に（例えば、中心に、ユーザが選択した場所に、トモ画像に関連する場所（図２に示した右上画像）に、など）、インジケータ（例えば、点線円、円、ボックス、幾何学的形状、他のインジケータなど）を置くことができ、およびそれは、ユーザが場所を調節し、そのデータを保存するのを可能にすることができる）、少なくとも１つの管腔（エッジ）、少なくとも１つの長さ（例えば、２点間の線を示すかまたは描く）、回転機能（ｆｅａｔｕｒｅ）（例えば、回転バー）。さらなる例として、血管制御では、１つまたは複数の実施形態は、以下のもののうちの１つまたは複数を見るかまたは観察するためのオプションを提供することができる。ＮＩＲＡＦカーペットビュー（例えば、図２のＩＭ２、ＮＳ２Ａ、ＮＳ２ｂ、およびＣＢ２を示すビューを参照）、３次元（３Ｄ）ハーフパイプ、管腔プロファイル、生データ、ステント、および／または少なくとも１つのガイドワイヤ。１つまたは複数の実施形態において、機能（ｆｅａｔｕ���ｅ）は、限定はしないが、機能（ｆｅａｔｕｒｅ）２２、２３、および２４の機能（ｆｅａｔｕｒｅ）場所の間で図示の機能（ｆｅａｔｕｒｅ）の任意の他の場所などのようなＧＵＩに示された他の場所に移動することができる。例えば、１つまたは複数の実施形態では、ＥＥＬオプションは、以下で論じるオプションアイコン２３に含まれるドロップダウンオプションとすることができる。
【００１７】
図２に示すように、限定はしないが、マークスライス機能（ｆｅａｔｕｒｅ）、スナップショット機能（ｆｅａｔｕｒｅ）、注釈機能（ｆｅａｔｕｒｅ）などのような他のオプション２３を、ＧＵＩに含めることができる。スナップショット機能（ｆｅａｔｕｒｅ）は、ＧＵＩの現在のビューのスナップショットまたは画像を撮るように動作する。注釈機能（ｆｅａｔｕｒｅ）は、ＧＵＩのユーザが、観察した１つまたは複数の画像にコメントまたは注記を含めることができるように動作する。マークスライス機能（ｆｅａｔｕｒｅ）は、ユーザが、関心のあるスライスのプルバックフィード（ｐｕｌｌｂａｃｋ  ｆｅｅｄ）の点を設定する（すなわち、所望の１つまたは複数のスライスをマークする）ことができるようにする。
【００１８】
別のオプションは、１つまたは複数の実施形態では、設定もしくは機能（ｆｅａｔｕｒｅ）アイコンまたはドロップダウンメニュー２４であり、それは、ＧＵＩのユーザが、限定はしないが、膨張（ｅｘｐａｎｓｉｏｎ）／膨張不足（ｕｎｄｅｒｅｘｐａｎｓｉｏｎ）（例えば、ステントなどの基準区域に関連した）、不完全圧着（ｍａｌａｐｐｏｓｉｔｉｏｎ）（例えば、ステントの、医療インプラントの、など）などの画像の１つまたは複数の詳細を計算できるようにする。限定はしないが、基準区域のパーセント値、（例えば、１つまたは複数の実施形態では膨張不足が存在することを示し、その情報の近くまたは左側の赤色ボックス（または所定の色のボックス）と関連し得る「０〜８０％の基準区域」、膨張不足に関連する問題が存在することもあり存在しないこともある（例えば、膨張不足が許容範囲内にあり得る）ことを示すことができ、その情報の近くまたは左側の黄色ボックス（または所定の色のボックス）と関連し得る「８０〜９０％の基準区域」、膨張不足に関連する問題が存在しない可能性があることを示すことができ、その情報の近くまたは左側の緑色ボックス（または所定の色のボックス）と関連し得る「９０〜１００％の基準区域」、など）などの情報がメニュー２４の右に表示され得る。任意の色のボックスが、１つまたは複数の実施形態では所望に応じて図２に示されたもの以外の所定の場所に設定されてもよい。そのような情報およびインジケータは、１つまたは複数の実施形態では、圧着（ａｐｐｏｓｉｔｉｏｎ）／不完全圧着（ｍａｌａｐｐｏｓｉｔｉｏｎ）に対して使用することができる。追加としてまたは代替として、圧着／不完全圧着は、限定はしないが、例えば、３００ミクロン超（言い換えれば、３００ミクロン以上）が、赤色領域、または補正もしくは処置を必要とするかもしくは必要とする可能性がある領域（例えば、ハイリスク領域）の範囲として使用されてもよい、２００〜３００ミクロンの間が、黄色領域、または補正もしくは処置を必要とするかまたは注意深く観察される必要がある可能性がある領域、あるいは処置をしないかもしくは補正をしない許容範囲内にある領域（例えば、高リスクと低リスクとの間の領域、許容可能領域など）に対して使用されてもよい、２００ミクロン未満が、緑色領域、または問題が検出されていない、および／または処置を必要としない可能性がある領域（例えば、低リスク領域）に対して使用されてもよい、などのように異なる所定の範囲で示されてもよい。１つまたは複数の実施形態では、異なる値または範囲が、例えば、赤色または高リスク領域、黄色または中央領域、および／または緑色または許容可能領域の限界または範囲に割り当てられてもよい。対象範囲は、装置、ＧＵＩ、システム、方法、または記憶媒体によって自動的に決定されてもよく、またはユーザ（例えば、医師）によって手動で選択されてもよい。本開示の１つまたは複数の実施形態の用途および使用法に応じて、そのような値はそれ相当に変更することができる。他の範囲が、ユーザのニーズおよび実行されるべき医療処置に応じて、高／低リスク、および／または許容可能または配慮必要領域に対して指定されてもよい。膨張／膨張不足および／または圧着／不完全圧着に関連して表示されたデータおよび関連する警告または情報に基づいて、ＧＵＩは、その情報（例えば、膨張／膨張不足および／または圧着／不完全圧着が、処置を必要としない可能性があるような許容範囲内にある、膨張／膨張不足および／または圧着／不完全圧着が、処置を必要とする可能性があるような、許容範囲の外にある、膨張／膨張不足および／または圧着／不完全圧着が、補正を必要とするかまたは補正が示唆され得る範囲にある、など）に応答する方法をＧＵＩのユーザに示すように動作する。前述のとおり、対象範囲（または本開示で論じる任意の他の１つまたは複数の範囲）のいずれかを手動でまたは自動的に選択することができる。そのような例は、ＧＵＩのユーザが１つまたは複数の画像のデータによって識別された潜在的な問題を識別できるようにし、適切な決定を行い、それに応じて計画を作り出すことができる。
【００１９】
本明細書で論じるそのような情報および他の機能（ｆｅａｔｕｒｅ）は、限定はしないが、相互位置合わせ、他のモダリティなどのような他の用途に適用することができる。実際、本開示の機能（ｆｅａｔｕｒｅ）の有用な用途は、論じているモダリティ、画像、または医療処置に限定されない。追加として、必要とされるモダリティ、画像、または医療処置に応じて、１つまたは複数のコントロールバー（例えば、コントロールバー１  ５０）は、輪郭が描かれるか、曲げられるか、またはユーザが望むかもしくは設定した任意の他の構成を有してもよい。例えば、本明細書で論じるようにタッチスクリーンを使用する実施形態では、ユーザは、ユーザがタッチスクリーン上でポインタ、指、スタイラス、別のツールなどを移動させることに基づいて（または代替として、タッチスクリーンが使用されているかどうかにかかわらずマウスまたは他の入力ツールもしくはデバイスを移動させることによって）、コントロールバーのサイズおよび形状を画定するかまたは作り出すことができる。
【００２０】
限定はしないが、公開が参照により全体において本明細書に組み込まれる米国特許出願公開第２０１９／０１０２９０６号および第２０１９／００９９０８０号で論じられている膨張／膨張不足および圧着／不完全圧着の方法またはアルゴリズムを含む、膨張／膨張不足または圧着／不完全圧着を計算するための１つまたは複数の方法またはアルゴリズムを、本出願の１つまたは複数の実施形態で使用することができる。例えば、膨張／膨張不足を評価するための１つまたは複数の実施形態において、さらなる画像処理によってＯＣＴ画像から不適切なＯＣＴ画像フレームを取り除くための方法を実行することができる。管腔検出の結果は、ＯＣＴ画像フレームごとにチェックすることができる。管腔が検出されない場合または検出された管腔がアーティファクトによって影響されている場合、ＯＣＴ画像フレームを除去することができる。第１のＯＣＴ画像フレームが、最初のステップにおいてＯＣＴ画像から選択される。第１のＯＣＴ画像フレームを選択した後、選択されたＯＣＴ画像フレームに管腔が検出されるかどうかを決定することができる。管腔がＯＣＴ画像フレームに検出されなかったことが決定された場合、ＯＣＴ画像フレームをさらなる画像処理によって除去することができ、プロセスは続く。あるいは、管腔がフレームに検出された場合、検出された管腔がアーティファクトによって影響されているかどうかのさらなる決定を実行することができる。検出された管腔がアーティファクトによって影響されている場合、ＯＣＴ画像フレームをさらなる処理によって除去することができ、プロセスは進行する。検出された管腔がいかなるアーティファクトによっても影響されていない場合、選択されたＯＣＴ画像フレームがＯＣＴ画像からの最後のＯＣＴ画像フレームであるかどうかを決定することができる。選択されたフレームがＯＣＴ画像の最後のフレームでない場合、そのＯＣＴ画像からの次のＯＣＴ画像フレームを選択することができ、プロセスはフレームステップにおける管腔検出に戻る。選択されたＯＣＴ画像フレームが最後のＯＣＴ画像フレームである場合、プロセスは進行する。不適切なＯＣＴ画像フレームを除去した後、ステントストラットが検出されたＯＣＴ画像フレームをすべて選択することができる（グループＧＳ’）。１つまたは複数の実施形態ではＯＣＴ画像のステント領域の全範囲をステントの膨張に関して評価することにしているが、別の実施形態では、このステップにおいて、ユーザは、ステントが差し込まれステントストラットが検出されるステント領域から、ステント膨張を評価するための１つまたは複数の（第１の）範囲を選択することができる可能性がある。ユーザが第１の範囲をステント領域の全範囲として選択するかまたは全ステント領域の一部の範囲として選択するかは、システム要件またはユーザニーズによって決めることができる。１つの実施形態では、ユーザは、マウスデバイスまたはタッチスクリーンデバイスを使用してステント領域に１つまたは複数の（第１の）範囲を指定することができ、プロセッサまたはＣＰＵ（例えば、コンピュータまたはプロセッサ１２００、１２００’、２など、および／または本明細書で論じる任意の他のプロセッサ）は、ステント膨張評価のための第１の範囲を決定することができる。これにより、１つまたは複数の位置を指定することが可能になる。続いて、確定されたステント留置領域（ｓｔｅｎｔｅｄ  ｒｅｇｉｏｎ）に基づいて基準ＯＣＴ画像フレームを選択することができる。計算されたステントの長さが、実際のステントの長さと比べて所定の閾値に等しいかまたは所定の閾値内にある場合、ステント留置セグメントの遠位端を表す位置のＯＣＴ画像フレームおよび近位端を表す位置のＯＣＴ画像フレームを、基準フレームとして選択することができる。計算されたステントの長さが実際のステントの長さに等しくないかまたは所定の閾値内にない場合、基準フレームは、計算されたステントの長さまたは実際のステントの長さのいずれかに基づいて選択することができる。計算されたステントの長さが基準フレーム選択のために選択される場合、ステント留置セグメントの遠位端を表す位置のＯＣＴ画像フレームおよび近位端を表す位置のＯＣＴ画像フレームを、基準フレームとして選択することができる。次いで、基準ＯＣＴ画像フレームは、確定されたステント留置領域に基づいて選択することができる。選択された基準フレームの基準区域を評価することができる。次いで、ステントストラットが検出されたＯＣＴ画像フレームから第１のＯＣＴ画像フレームを選択することができる。次いで、ステント区域が、第１のＯＣＴ画像フレームで測定される。第１のＯＣＴ画像フレームのステント区域を測定した後、測定されたステント区域と基準区域とを比較することによってステント膨張を評価することができる。ステント膨張値および対応するステント膨張レベルのインジケータを、第１のＯＣＴ画像フレームとともに、保存することができる。ステント膨張値が保存された後、選択されたＯＣＴ画像フレームが最後のフレームかどうかが決定される。選択されたＯＣＴ画像フレームが最後のフレームでない場合、次のＯＣＴ画像フレームが選択され、プロセスは、前述のステント区域測定ステップに戻る。この例では、選択されたＯＣＴ画像フレームが第１のＯＣＴ画像フレームであるので、次のフレームは、ステントストラットが検出されたすべてのＯＣＴ画像フレームのグループからの第２のＯＣＴ画像フレームであることになる。次のＯＣＴ画像フレームを選択した後プロセスは、ステント区域測定ステップに戻って、次のＯＣＴ画像フレームのステント区域を測定する。あるいは、選択されたＯＣＴ画像フレームが最後のフレームであると決定された場合、ステント膨張を評価するプロセスは、取得されたＯＣＴ画像に関して終了する。この作業の流れによれば、ステントストラットが検出されアーティファクトによって影響されていないすべてのＯＣＴ画像フレームを処理して、選択されたＯＣＴ画像フレームに関連するステント区域および基準区域に基づいてステントの膨張値を得ることができる。１つまたは複数の実施形態では、基準区域は、ステントストラットが検出されアーティファクトによって影響されていないＯＣＴ画像フレームからの各ＯＣＴ画像フレームに対して同じままである。別の例として、圧着／不完全圧着を評価するための１つまたは複数の実施形態では、前述のように不適切なＯＣＴ画���を除去するための方法を実行することができる。管腔検出の結果は、ＯＣＴ画像フレームごとにチェックすることができる。管腔が検出されない場合または検出された管腔が任意のアーティファクトによって影響されている場合、ＯＣＴ画像フレームを除去することができる。第１のＯＣＴ画像フレームが、最初のステップにおいてＯＣＴ画像から選択される。第１のＯＣＴ画像フレームを選択した後、選択されたＯＣＴ画像フレームに管腔が検出されるかどうかを決定することができる。管腔がＯＣＴ画像フレームに検出されなかったことが決定された場合、ＯＣＴ画像フレームをさらなる画像処理によって除去することができ、プロセスは続く。あるいは、管腔がフレームに検出された場合、検出された管腔がアーティファクトによって影響されているかどうかのさらなる決定を実行することができる。検出された管腔がアーティファクトによって影響されている場合、ＯＣＴ画像フレームをさらなる処理によって除去することができ、プロセスは進行する。検出された管腔がいかなるアーティファクトによっても影響されていない場合、選択されたＯＣＴ画像フレームがＯＣＴ画像からの最後のＯＣＴ画像フレームであるかどうかを決定することができる。選択されたフレームがＯＣＴ画像の最後のフレームでない場合、そのＯＣＴ画像からの次のＯＣＴ画像フレームを選択することができ、プロセスはフレームステップにおける管腔検出に戻る。選択されたＯＣＴ画像フレームが最後のＯＣＴ画像フレームである場合、プロセスは進行する。不適切なＯＣＴ画像フレームを除去した後、ステントストラットが検出されたＯＣＴ画像フレームをすべて選択することができる（グループＧＳ’）。次いで、ステントストラットが検出されている選択されたＯＣＴ画像フレームから第１のＯＣＴ画像フレームを選択することができる。続いて、選択された第１のＯＣＴ画像フレームに対して、第１のＯＣＴ画像フレームで検出された管腔エッジとステントストラットとの間の距離を測定することができる。ステント圧着を評価することができる。ステント圧着は、管腔エッジとステントストラットとの間の測定距離を、ステント情報から得られたステント−ストラット幅と比較することによって評価することができる。ステント圧着値とステント圧着レベルのインジケータとは、対応するＯＣＴ画像フレームに対して保存することができる。次いで、選択されたＯＣＴ画像フレームが最後のＯＣＴ画像フレームかどうかを決定することができる。選択されたフレームが最後のＯＣＴ画像フレームである場合、プロセスは終わる。この例では、選択されたＯＣＴ画像フレームは第１のＯＣＴ画像フレームであり、そこで、第２のＯＣＴ画像フレームが選択され、プロセスは、前述の距離測定ステップに戻る。プロセスは、選択された各ＯＣＴ画像フレームが評価されステント圧着値が得られるまで繰り返す。
【００２１】
血管造影（またはアンギオ）画像２５は、図２に示されるようにＧＵＩの左上に表示することができる。イメージングモダリティ（ＩＭ６）は血管造影画像２５を示し、ＮＩＲＡＦデータ（ＮＳ６）がＩＭ６の血管に沿って表示される。コントロールバー（ＣＢ６）は、ＩＭ６の血管に沿って水平方向に（ｈｏｒｉｚｏｎｔａｌｌｙ）現れるバーである。
【００２２】
図２に示すように、ＧＵＩは、１つまたは複数の値２６（例えば、管腔面積、平直径、最直径、最直径など）を表示することができる。そのような情報は、処置を計画するかまたは進める方法、例えば、処置が膨張／膨張不足または圧着／不完全圧着に関連するときどのステントサイズを使用するかを決定するかまたは判断するために使用することができる。
【００２３】
前述のように、膨張不足／膨張および／または圧着／不完全圧着の評価は、本開示の１つまたは複数の実施形態の用途のうちのいくつかについての例である。本開示の１つまたは複数の実施形態は、限定はしないが、プラーク組織またはカルシウム蓄積がさらなる配慮を必要とするかどうかを決定することなどの１つまたは複数の追加または代替の用途を含むことができる。別の用途の例は、ロータブレードを固定する必要があるかどうかを決定することを含むことができる。別の用途の例は、診断情報を識別または決定すること、治療が必要であるかどうかを決定すること、選択または関心領域を識別すること、などを含むことができる。そのような用途のうちの１つまたは複数を示すかまたは指示するために、限定はしないが、図２の底部のコントロールバー５２の上部および底部に（または両方の端部に）示されるようなバンド（例えば、赤色の１つまたは複数のバンド）２８、図２の中央のコントロールバー５１の上のバンド２８、図４のポインタ３７の上にあるバンド２８、図５Ａ〜図５Ｂに示されるバーなどのようなインジケータを使用することができる。
【００２４】
本開示の１つまたは複数の実施形態は、多数のビュー（例えば、ＯＣＴ画像、リングビュー、トモビュー、解剖ビューなど）を取り入れることを含むことができ、１つまたは複数の実施形態は、ＮＩＲＡＦを強調表示または強調することができる。図３に示すように、コントロールバー（ＣＢ１）５０は、円形回転で双方向に移動させることができる。２つのハンドル３６Ａ、３６Ｂは、複数の実施形態では、ＮＩＲＡＦデータの色の両極端（ｃｏｌｏｒ  ｅｘｔｒｅｍｅｓ）を制限することができるエンドポイントである。１つまたは複数の実施形態では、２つのハンドル３６Ａ、３６Ｂは、３Ｄビューで表示された対応する切断または区域を示すことができる。
【００２５】
１つまたは複数の実施形態では、イメージングモダリティ２（ＩＭ２）３１は、カーペットビューで表示されたＮＩＲＡＦデータ（ＮＳ２Ａ）４１Ａを示す（図２において最も良く分かる）。２つのハンドルバーをもつコントロールバー（ＣＢ２）５１は、カーペットビューの半分に表示され、ＩＭ１  ３０のまわりのＮＳ１  ４０の半分と一致する。コントロールバーＣＢ２  ５１は、図４に示されるように水平移動で双方向に移動させることができる。ＮＩＲＡＦ信号ゲージ（ＮＳ２Ｂ）４１Ｂは、ＩＭ１  ３０（図２に示したような）のまわりのＮＳ１  ４０の強調表示された半分と一致する最も大きいＮＩＲＡＦ信号強度を矢印４４を使用して強調表示する（図４において最も良く分かる）。
【００２６】
イメージングモダリティ３（ＩＭ３）３２（例えば図２の底部に示したような、図４において最も良く示されるような、など）は、ＩＭ１  ３０のまわりのＮＳ１  ４０の強調表示された半分と一致する３次元（３Ｄ）ハーフパイプ血管ビューと、ＩＭ３  ３２の内壁に表示されたＮＩＲＡＦデータ（ＮＳ３）４２とを示す。２つのハンドルバーをもつコントロールバー（ＣＢ３）５２が、ＩＭ３  ３２に表示され、ＩＭ１  ３０のまわりのＮＳ１  ４０の半分と一致する。図５Ａ〜図５Ｂは、ボックス５７を使用することによってこれらの機能（ｆｅａｔｕｒｅ）および／または相関を示す（これらの機能（ｆｅａｔｕｒｅ）および／または相関の視覚的な表現として図５Ａのボックス５７から図５Ｂのボックス５７の両方を接続する線を示す）。図４の３Ｄハーフパイプは、例えば、限定はしないが、追加の補正ステップまたは処置が必要であるかどうかを確認すること、または問題が首尾よくまたは完全に処理されたかどうかを確認することを含む、本明細書で論じる用途のうちの１つまたは複数のために１つまたは複数の実施形態で使用することができる。少なくとも１つの実施形態では、３Ｄハーフパイプレンダリングは、Ｌビュー（または任意の所定のビュー）のものとすることができ、データはＮＩＲＡＦカーペットビュー（カーペットビューの前述の例を参照）から得ることができ、そのようなデータは３Ｄハーフパイプ上に重ね合わせることができる（例えば、以下でさらに論じる図８Ａ〜図８Ｂを参照）。そのようなデータは、任意の幾何学的形状で示すこともできる。例えば、３Ｄレンダリングは、ハーフパイプ形状以外の形状とすることができる。補正または追加ステップが必要であると決定された場合、そのステップを行うことができる。例えば、膨張不足／膨張の状況において、必要または所望に応じてステントを拡大させるためにバルーンを挿入し膨らませることができる。補正ステップまたは処置が行われた後、新しい３Ｄレンダリング（例えば、３Ｄハーフパイプビュー）を得るかまたは再イメージングすることができ、次いで、問題が対処されたかまたは追加のステップもしくは処置が必要であるかどうかを決定することができる。
【００２７】
図２で最も良く分かるように、イメージングモダリティ（ＩＭ６）３５は血管造影画像を示し、ＮＩＲＡＦデータ（ＮＳ６）４３が血管に沿ってＩＭ６  ３５に表示される。コントロールバー（ＣＢ６）５５は、ＩＭ６  ３５の血管に沿って水平方向に現れるバーである。
【００２８】
図６は、それぞれ、ＯＣＴ画像２１上のコントロールバーＣＢ１  ５０、ＣＢ２  ５１、およびＣＢ３  ５２と、カーペットビューとして表示されたＮＩＲＡＦデータ４１Ａ（例えば、ＩＭ２  ３１を参照）と、再構成３Ｄハーフパイプ血管ビュー（例えば、ＩＭ３  ３２を参照）とを示す。これらの表示は、各モダリティにおいて単一の画像インスタンスで同期される。コントロールバーＣＢ１  ５０は、トモ（ＩＭ１）３０の半分を示すように位置づけられ、ＮＩＲＡＦデータ４１Ａの半分を強調表示する。コントロールバーＣＢ２  ５１は、ＩＭ１  ３０と同じ画像インスタンスに位置づけられ、ＩＭ２  ３２において広げられたＮＩＲＡＦデータ４１Ａの半分を強調表示し、コントロールバーＣＢ３  ５２は、ＩＭ１  ３０およびＩＭ２  ３１と同じ画像インスタンスで位置づけられ、ＮＩＲＡＦデータがＩＭ３  ３２に重ね合わされた状態で３Ｄレンダ血管の半分を強調表示する。
【００２９】
コントロールバーＣＢ１  ５０、ＣＢ２  ５１、ＣＢ３  ５２のうちの１つが、双方向に移動されると、すべての他のイメージングモダリティは、ユーザによって選択された特定の時点に応じて対応する表示を更新することになる。データは、１つまたは複数の実施形態では、主として、コントロールバーＣＢ１  ５０を使用することによって表示ＩＭ１  ３０に注目し制御することができる。上述のように、コントロールバーＣＢ１  ５０は、ＯＣＴ画像２１のまわりを円運動で回転するように双方向に移動させることができる。１つまたは複数の他の実施形態では、データは、他のコントロールバーＣＢ２  ５１、ＣＢ３  ５２の一方を使用することによって制御および変更することができる。
【００３０】
図７は、コントロールバーＣＢ１  ５０がＩＭ１  ３０で操作されるなどのコントロールバーが操作されるか、または入力がコントロールバーＣＢ１  ５０などのコントロールバーから受け取られるときに実行することができるステップを示す。図７に示されるようなステップＳ７０００は、トモ画像の外縁のまわりに全円でＮＩＲＡＦデータを示すステップを含む。ステップＳ７００１は、回転コントロールバーを所定のまたは選択された角度で（例えば、−４５度で）ＮＩＲＡＦデータの半分に重ね合わせてマージするステップを含むことができる。ステップＳ７００２は、コントロールバー（例えば、ＣＢ１  ５０、ＣＢ２  ５１、ＣＢ３  ５３など）を双方向に移動させるステップを含むことができる。ステップＳ７００３は、ＩＭ１  ３０などの選択されたＩＭにおいて、例えばカテーテルの周縁を検出することができる、カテーテルの周縁の中心を見出すことができる、ドットをこの場所に描いて配置することができることを含むことができる。ステップＳ７００４は、１つまたは複数の実施形態において、半円を作り出すためにＯＣＴ画像２１の外円の縁部に−４５度で対角線を作り出すようにカテーテル中心点を通して線を引くステップを含むことができる。円弧は、例えば、図５Ａ〜図５Ｂに示されるように、長手方向ビューの半分を示すことができる。ステップＳ７００５は、アクティブ血管ビュー（例えば、ＮＩＲＡＦカーペットビュー、３Ｄハーフパイプビュー、管腔プロフィル、長手方向ビューなど）を決定するステップを含むことができる。ステップＳ７００６は、トモおよびアクティブ血管ビューに対して新しい方位を計算するステップを含むことができる。ステップＳ７００７は、トモおよびアクティブビューのデータを更新するステップを含むことができる。ステップＳ７００８は、アクティブコントロールバーの位置を更新するステップを含むことができる。
【００３１】
１つまたは複数の追加の実施形態は、以下のステップ１〜ステップ５を含む（ｉｎｃｌｕｄｅ  ｏｒ  ｉｎｖｏｌｖｅ）ことができる。
【００３２】
ステップ１：ＩＭ１  ３０において、カテーテル周縁を検出し、その中心を見出し、この位置にドットを描く。
【００３３】
ステップ２：半円を作り出すためにＯＣＴ画像２１の外円の縁部に−４５度で対角線を作り出すようにカテーテル中心点を通して線を引く。
円弧は、図５Ａ〜図５Ｂに示されるように、長手方向ビューの半分を表す。
【００３４】
ステップ３：アクティブイメージングモダリティ（例えば、ＩＭ１  ３０、ＩＭ２  ３１、ＩＭ３  ３２、およびＩＭ６  ３５）を決定する。
【００３５】
ステップ４：コントロールバー（例えば、ＣＢ１  ５０、ＣＢ２  ５１、ＣＢ３  ５２、およびＣＢ６  ５５）およびアクティブイメージングモダリティ（例えば、ＩＭ１  ３０、ＩＭ２  ３１、ＩＭ３  ３２、およびＩＭ６  ３５）の新しい方位（ｏｒｉｅｎｔａｔｉｏｎ）／位置（ｐｏｓｉｔｉｏｎ）を計算する。
【００３６】
ステップ５：計算が終了すると、更新された表示を以下のもののうちの１つまたは複数で構成することができる。（１）コントロールバー（例えば、ＣＢ１  ５０、ＣＢ２  ５１、ＣＢ３  ５２、およびＣＢ６  ５５）の配置を各イメージングモダリティ内で更新することができる、（２）ＮＩＲＡＦデータ（ＮＳ２Ａ  ４１Ａ、ＮＳ３  ４２、およびＮＳ６  ４３）の表示を更新することができる、（３）表示ＩＭ２  ３１は、垂直にスクロールし、ＮＩＲＡＦデータ（例えば、ＮＳ２Ａ  ４１Ａ、ＮＳ２Ｂ  ４１Ｂ、ＮＳ３  ４２、ＮＳ６  ４３など）の表示を更新することができる、（４）表示ＩＭ３  ３２は、垂直にスクロールし、ＮＩＲＡＦデータが血管に重ね合わされた状態で３Ｄハーフパイプ血管ビューを更新することができる（例えば、ＩＭ３  ３２を参照）、（５）ＮＩＲＡＦ信号ゲージ（ＮＳ２Ｂ  ４１Ｂ）は、ＮＩＲＡＦリングの強調表示された半分と一致する最も大きいＮＩＲＡＦ信号強度を強調表示するように矢印４４の位置を変えることができる（例えば、上述で論じたような図３および図４に示したものなどを参照）。
【００３７】
代替として、コントロールバーＣＢ２  ５１が、ＩＭ２  ３１において、双方向に移動される、すなわち、図４に示したようにＮＩＲＡＦカーペットビューにおいて水平方向に（左および右に）ドラッグされることによって位置を変えた場合、同じまたは同様の計算を上述のように実行することができる。
【００３８】
水平方向に移動される代わりに、コントロールバーＣＢ２  ５１が、ＩＭ２  ３１においてハンドルバーのうちの１つを垂直に引き下げられる場合、ＩＭ１  ３０のコントロールバーＣＢ１  ５０は、１８０度よりも大きくなることができる（例えば、図８Ａ〜図８Ｂを参照）。図８Ａは、ＣＢ２  ５１の下部ハンドルが引き下げられる前のコントロールバーＣＢ２  ５１の実施形態の例を示し、図８Ｂは、ＣＢ２  ５１の下部ハンドルが引き下げられた後のコントロールバーＣＢ２  ５１の一例を示す。１つまたは複数の実施形態では、対象コントロールバーのうちの１つまたは複数は、所望に応じて異なるサイズまたは形状（例えば、輪郭、曲線など）を有することができる。
【００３９】
１つまたは複数の代替実施形態は、ＩＭ２  ３１、ＩＭ３  ３２、およびＩＭ６  ３５に関係する前述の実施形態（例えば、少なくとも図２〜図８Ｂを参照）からと同じかまたは同様のデフォルト表示、ユーザ入力、計算、更新された表示を有することができるが、コントロールバーＣＢ１  ５０は、１つまたは複数の代替実施形態ではＩＭ１  ３０に現れないことがある。
【００４０】
１つまたは複数のさらなる代替実施形態は、ＮＳ１  ４０が、ＯＣＴ画像２１のまわりのＮＩＲＡＦデータの全円（例えば、図１２に示されるような）の代わりにＮＩＲＡＦデータの半円（図１１に最も良く分かるように）を示すことができることを除いて、前述の実施形態からと同じかまたは同様のデフォルト表示、ユーザ入力、計算、更新された表示を有することができる。
【００４１】
さらに、１つまたは複数のさらなる代替実施形態は、ＩＭ１  ３０およびＩＭ６  ３５に関係する前述の実施形態（例えば、少なくとも図２〜図８Ｂを参照）からと同じかまたは同様のデフォルト表示、ユーザ入力、計算、更新された表示を有し、ＩＭ２  ３１およびＩＭ３  ３２の代わりに血管ビューの管腔径を示すイメージングモダリティ４（ＩＭ４）３３（図９に最も良く分かる）を示す。ここで、コントロールバーＣＢ１  ５０およびＣＢ４  ５３は、それぞれ、ＯＣＴ画像２１および管腔プロフィル（例えば、ＩＭ４  ３３を参照）に示され、表示は、各モダリティにおいて単一の画像インスタンスで同期される。（図９を参照）。ＣＢ１  ５０は、ＮＩＲＡＦデータの半分を強調表示するトモ（ＩＭ１  ３０）ビューの半分を示すように位置づけることができ、ＣＢ４  ５３は、ＩＭ１  ３０と同じ画像インスタンスに位置づけられ、管腔径を強調表示することができる。
【００４２】
１つまたは複数の代替実施形態は、ＩＭ１  ３０およびＩＭ６  ３５に対して同じかまたは同様のデフォルト表示、すなわち、前述の実施形態のうちの１つまたは複数からのユーザ入力、計算、および更新された表示、（例えば、図２〜図８Ｂ、図９などを参照）を有することができ、例えば図１０に示されるように、中にＣＢ５  ５４を有する断面長手方向血管ビューを示すＩＭ５  ３４をさらに示す（例えば、ＩＭ２  ３１およびＩＭ３  ３２の代わりに）。
【００４３】
さらなる実施形態は、ＮＳ１  ４０が、例えば図１１に示されるように、ＯＣＴ画像２１のまわりのＮＩＲＡＦデータの全円の代わりにＮＩＲＡＦデータの半円を示すことを除いて、前述の実施形態（例えば、少なくとも図２〜図８Ｂ、図９、図１０などを参照）のうちの１つまたは複数からと同じデフォルト表示、ユーザ入力、計算、および更新された表示を有することができる。
【００４４】
代替実施形態の別の例として、図１２は、ＮＳ１  ４０が、ＯＣＴ画像２１のまわりのＮＩＲＡＦデータの全円７１の内側にＮＩＲＡＦデータの半円７０を示すことを除いて、前述の実施形態（例えば、少なくとも図２〜図８Ｂ、図９、図１０、図１１などを参照）のうちの１つまたは複数からと同じデフォルト表示、ユーザ入力、計算、および更新された表示を有することができる少なくとも１つの実施形態の部分図を示す。（図１２を参照）。
【００４５】
別の代替実施形態のさらなる例として、図１３は、ＮＩＲＡＦデータが管腔エッジ６８の上にマージされ重ね合わされていることを除いて、前述の実施形態（例えば、少なくとも図２〜図８Ｂ、図９、図１０、図１１、図１２、などを参照）のうちの１つまたは複数からと同じデフォルト表示、ユーザ入力、計算、および更新された表示を有することができる少なくとも１つの実施形態の部分図を示す。（図１３を参照）。
【００４６】
標準断層撮影ビューに加えて、ユーザは、多数の長手方向ビューを表示するように選択することができる。血管造影システムに接続されると、グラフィカルユーザインタフェース（ＧＵＩ）は、血管造影画像も表示することができる。図１４は、上述の実施形態のためのグラフィカルユーザインタフェースの１つの例を示す。Ｆ１  ６０は、限定はしないが、上述で論じた血管造影画像２５などの血管造影ビュー（例えば、外部フィード（ｅｘｔｅｒｎａｌ  ｆｅｅｄ））とすることができる。Ｆ２  ６１は、限定はしないが、上述で論じたトモもしくは断層撮影ビュー、またはＯＣＴ画像２１などの断層撮影ビューとすることができる。Ｆ３  ６２は、上述で論じたようにＮＩＲＡＦカーペットビューとすることができる。Ｆ４  ６３は、単純な長手方向ビューとすることができる。Ｆ５  ６４は、ＮＩＲＡＦ強度が多数のビューに表示され得ることを示す。Ｆ６  ６５は、１つまたは複数の実施形態においてステント膨張不足を表すことができる。Ｆ７  ６６は、限定はしないが、上述で論じたような機能（ｆｅａｔｕｒｅ）２２、機能（ｆｅａｔｕｒｅ）２３、機能（ｆｅａｔｕｒｅ）２４、機能（ｆｅａｔｕｒｅ）２６などを含むビューをカスタマイズするために使用することができるコントロールを表示する。
【００４７】
本開示の１つまたは複数の態様によれば、前述の機能（ｆｅａｔｕｒｅ）は、任意の特定のＧＵＩを使用して表示または制御されるようには限定されない。一般に、前述のイメージングモダリティは、ＧＵＩの前述の実施形態の１つまたは複数の機能（ｆｅａｔｕｒｅ）の有無を含む様々な方法で使用することができる。例えば、イメージングモダリティ１（ＩＭ１）３０は、ＯＣＴ画像２１を、ＧＵＩにより（またはＧＵＩの１つまたは複数の他の構成要素により；１つまたは複数の実施形態では、表示は、ユーザが設定または所望した情報を表示するように簡単化することができる）提示されていない場合でさえ前述のように画像ビューを変更するためにツールを用いて示すことができる。このツールは、前述のように回転コントロールバー（ＣＢ１）５０で構成することができる。１つまたは複数の実施形態では、ＣＢ１  ５０は、２つのハンドルバーと中心の円を有することができ、表示においてＮＩＲＡＦデータの半分に重ね合わされマージされる。コントロールバー（ＣＢ１）は、円形回転で双方向に移動させることができ、２つのハンドルは、ＮＩＲＡＦデータの色の両極端を制限することができ、または３Ｄビューで表示された切断または区域に対応することができるエンドポイントである。ＣＢ１  ５０の１つまたは複数の実施形態は、１つのハンドルバーを有することができる。
【００４８】
別の例として、イメージングモダリティ２（ＩＭ２）３１は、前述のようにカーペットビューとして表示されたＮＩＲＡＦデータ（ＮＳ２Ａ  ４１Ａ）を示すことができる（ＧＵＩの前述の実施形態の１つまたは複数の機能（ｆｅａｔｕｒｅ）の有無にかかわらず）。コントロールバー（ＣＢ２）５１を使用することができ、ＣＢ２  ５１は、２つのハンドルバーを有することができ、カーペットビューの半分に表示され、ＩＭ１  ３０のまわりのＮＳ１  ４０の半分と一致することができる。ＣＢ２  ５１は、前述のように双方向に水平に移動させることができる。ＮＩＲＡＦ信号ゲージ（ＮＳ２Ｂ）は、ＩＭ１  ３０のまわりのＮＳ１  ４０の強調表示された半分と一致する最も大きいＮＩＲＡＦ信号強度を矢印を使用して強調表示する。ＣＢ２  ５１の１つまたは複数の実施形態は、１つのハンドルバーを有することができる。
【００４９】
さらなる例として、イメージングモダリティ３（ＩＭ３）３２は、前述のように画像ビューを変更するためのコントロールバーをもつ再構成された３Ｄハーフパイプ血管ビューを示すことができる（ＧＵＩの前述の実施形態の１つまたは複数の機能（ｆｅａｔｕｒｅ）の有無にかかわらず）。ハーフパイプ血管ビューは、ＩＭ１  ３０のまわりのＮＳ１  ４０の強調表示された半分と一致することができる。ＮＩＲＡＦデータ（ＮＳ３）４２は、ＩＭ３  ３２の内壁と、ＩＭ３  ３２に表示されたように２つのハンドルバーをもち、ＩＭ１  ３０のまわりのＮＳ１  ４０の半分と一致するコントロールバー（ＣＢ３）５２とに表示することができる。ＣＢ３  ５２の１つまたは複数の実施形態は、１つのハンドルバーを有することができる。
【００５０】
イメージングモダリティ（ＩＭ６）３５は、血管造影画像２５を示し、ＮＩＲＡＦデータ（ＮＳ６）４３は、前述のように血管に沿って表示される（ＧＵＩの前述の実施形態の１つまたは複数の機能（ｆｅａｔｕｒｅ）の有無にかかわらず）。コントロールバー（ＣＢ６）５５は、血管造影画像の血管に沿って水平方向に現れることができる。
【００５１】
イメージングモダリティ１（ＩＭ１）３０は、追加として、回転コントロールバーの一部としてまたはコントロールバーのないＯＣＴ画像２１の一部として、ＯＣＴ画像２１の外縁のまわりに全円で表示されたＮＩＲＡＦデータ（ＮＳ１）４０を示すことができる。ＩＭ１  ３０の別の可能なビューは、コントロールバーＣＢ１が、ＮＩＲＡＦデータの半分のみが表示されたＮＩＲＡＦデータの半分とマージさせることができるものである。このツールは、円形回転で双方向に移動させることができ、２つのハンドルは、１つまたは複数の実施形態ではＮＩＲＡＦデータの色の両極端を制限するエンドポイントである。
【００５２】
イメージングモダリティ４（ＩＭ４）３３は、さらに、ＩＭ２  ３１およびＩＭ３  ３２の代わりに血管ビューにおいて管腔径を示すことができる。
【００５３】
例えば、タッチスクリーン、ＧＵＩ（またはＧＵＩの１つまたは複数の構成要素；１つまたは複数の実施形態では、表示は、ユーザが設定または所望した情報を表示するように簡単化することができる）、プロセッサ（例えば、プロセッサまたはコンピュータ２、１２００、および１２００’、あるいは本明細書で論じる任意の他のプロセッサ）を使用して関心領域および半円の位置を選択する処置は、１つまたは複数の実施形態では、半円を移動させるために指で一回押すこととその区域をドラッグすることとを含むことができる。ビューに対する新しい方位および更新は、指、またはポインタ３７などのポインタを解除したときに計算され得る（例えば、上述で論じたように少なくとも図３を参照）。
【００５４】
タッチスクリーンを使用する１つまたは複数の実施形態では、トモビューのまわりに作られた２つの同時タッチポイントは、半円を描き直すことができ、両方のハンドルは、２つのタッチポイントに基づいて円弧の近くにまたは円弧上に整列し、次いで、タッチポイント、円弧、および／または半円の方位を調節することができ、解除したときに計算に基づいてビューを更新することができる。
【００５５】
追加として、タッチスクリーンを使用する１つまたは複数の実施形態では、２つの同時タッチポイントがトモ画像のまわりで形成され、これが円運動でのトモ画像のまわりの掃引運動を行うように保持された指またはポインタを伴い、これによって回転コントロールバーを移動させることができる（例えば、１つまたは複数の実施形態ではトモビューのコントロールバー１  ５０に対してのみ）。次いで、タッチポイント、円弧、および／または半円の方位を調節することができ、解除したときに計算に基づいてビューを更新することができる。
【００５６】
任意のコントロールバーが双方向に動かされると、すべての他のイメージングモダリティは、１つまたは複数の実施形態ではユーザによって選択された特定の時点に応じて表示を更新することができる。１つまたは複数の実施形態では、データは、主として、ＣＢ１  ５０を使用することによってＩＭ１  ３０に注目し制御することができる。
【００５７】
コントロールバーＣＢ１  ５０が、ユーザ入力を介して双方向に移動されＯＣＴ画像２１のまわりに円運動で回転することによって、ＩＭ１  ３０上で位置を変更すると（例えば、前述したような図３を参照）、１つまたは複数の実施形態では、以下の計算を実行することができる。
１）ＩＭ１  ３０において、カテーテル周縁を検出し、カテーテルの中心および／またはカテーテル周縁を見出し、中心位置にドットを描く。
２）円弧を作り出すためにＯＣＴ画像２１の外円の縁部に対角線をある角度で作り出すようにカテーテル中心点を通して線を引く。１つまたは複数の実施形態では、円弧は、長手方向ビューの半分などの長手方向ビューの所定の一部分を表す（例えば、図５Ａ〜図５Ｂを参照）。
３）アクティブイメージングモダリティ（例えば、ＩＭ１  ３０、ＩＭ２  ３１、ＩＭ３  ３２、およびＩＭ６  ３５；  ＩＭ  ４  ３３；  ＩＭ５  ３４；  など）を決定する。
４）コントロールバー（例えば、ＣＢ１  ５０、ＣＢ２  ５１、ＣＢ３  ５２、およびＣＢ６  ５５；ＣＢ４  ５３；  ＣＢ５  ５４；など）およびアクティブイメージングモダリティ（例えば、ＩＭ１  ３０、ＩＭ２  ３１、ＩＭ３  ３２、およびＩＭ６  ３５；ＩＭ  ４  ３３；  ＩＭ５  ３４；など）の新しい方位／位置を計算する。
【００５８】
計算が終了すると、更新された表示または表示の更新は、以下のもののうちの１つまたは複数を含むことができる。
１）コントロールバー（例えば、ＣＢ１  ５０、ＣＢ２  ５１、ＣＢ３  ５２、およびＣＢ６  ５５；ＣＢ４  ５３；ＣＢ５  ５４；など）の配置が、各イメージングモダリティ内で更新される、
２）ＮＳ２Ａ  ４１Ａ、ＮＳ３  ４２、およびＮＳ６  ４３が、ＮＩＲＡＦデータを更新し、表示を変更することになる、
３）ＩＭ２  ３１は、垂直にスクロールし、ＮＩＲＡＦデータを更新し、表示を変更することになる、
４）ＩＭ３  ３２は、垂直にスクロールし、ＮＩＲＡＦデータが血管に重ね合わされた状態で３Ｄハーフパイプ血管ビューを更新することになる、
５）ＮＳ２Ｂ  ４１Ｂは、ＮＩＲＡＦリングの強調表示された半分と一致する最も大きいＮＩＲＡＦ信号強度を強調するように矢印を再位置づけすることになる。
【００５９】
ＣＢ２  ５１が、ＮＩＲＡＦカーペットビューにおいて双方向に移動され水平に（左および／または右）ドラッグされたときに、ＩＭ２  ３１上で位置を変更する（例えば、図４を参照）場合、前述の実施形態のうちの１つまたは複数において説明したように同じ計算を実行することができる。
【００６０】
下部ハンドルバーが垂直に引き下げられるときにＣＢ２  ５１がＩＭ２  ３１上で位置を変更すると、ＩＭ１  ３０上のＣＢ１  ５０は、ＮＩＲＡＦデータを変更し、表示を更新することができる（例えば、図８Ａ〜図８Ｂを参照）。
【００６１】
１つまたは複数の実施形態では、トモビューのコントロールバーのハンドルが円弧の反対方向に引かれるにつれて、円弧は大きくなることができ、トモ画像の視野は大きくなる。コントロールバー（例えば、ＣＢ１  ５０を参照）のマーカが両方ともトモビューの円弧の方に（例えば、ＯＣＴ画像２１などのトモ画像の中心の方に）近づくように引かれるにつれて、円弧は小さくなり、ＯＣＴ画像２１などのトモ画像の視野および／またはイメージサイズは小さくなる。
【００６２】
１つまたは複数の実施形態では、回転バーの中心ドットを選択しそれを拡大することにより、円弧の形状を変更させることができ、新しいドット場所の左右が、丸くなり、解除したときにドットに接続することができる。１つまたは複数の実施形態では、円弧は、新しいドット配置に基づいて自動的に変わり、それにより、そのドット配置に応じてサイズ変更され形作られ得る（例えば、新しいドット配置が円弧または半円の半径を増減させる（または使用されている別の幾何学的形状の寸法を変更する）場合、円弧はそれに応じて適合する）。ＮＩＲＡＦの色の極端は、同様に、回転バーに表示するために、新しい形状に基づいて更新することができる。コントロールバーの下部マーカは、ＯＣＴ画像２１などのトモ画像上で円弧区域がカバーする範囲を基準にして、血管のカーペットビューも示すように下方に拡大することができる。
【００６３】
追加として、不完全圧着／膨張不足が生じているすべてのスライスをＮＩＲＡＦの色の極端の重なり合いにより示すビューは、ユーザが１つまたは複数の実施形態では選択領域にジャンプすることを可能にする。
【００６４】
１つまたは複数の機能（ｆｕｎｃｔｉｏｎ）は、ユーザ注意を集中させ関心を維持するようにＯＣＴ画像（例えば、ＯＣＴ画像２１などの）ビューを用いて制御され、ユーザが単一時点にすべての関連情報を見ることを可能にする。前述のように、機能（ｆｕｎｃｔｉｏｎ）がマルチモダリティ全体にわたり、限定はしないが、ＮＩＲＡＦカーペットビュー、３Ｄハーフパイプ血管ビュー、管腔径、断面長手方向ビューなどを用いてより詳細な情報を提供する。１つまたは複数の実施形態では、表示は設定可能である。
【００６５】
１つまたは複数の実施形態では、マルチプルイメージングモダリティが表示される。例えば、ＯＣＴとＮＩＲＡＦトモビューとを組み合わせることができる。トモビューのまわりで外側にＯＣＴおよびＮＩＲＡＦリングが存在することができる。（例えば、ＯＣＴビュー２１を参照）。１つまたは複数の実施形態では、ＯＣＴおよびＮＩＲＡＦデータは、内部管腔エッジにマージさせることができる。ＯＣＴおよびＮＩＲＡＦデータは、広げることができる（すなわち、全体ビューに、部分（半円または他の幾何学的図形）ビューに、など）。ＯＣＴおよびＮＩＲＡＦは、長手方向（断面ビュー／生データ）表示上にあってもよい。ＯＣＴおよびＮＩＲＡＦデータは、前述のように３Ｄハーフパイプビュー上にあってもよい。ＯＣＴおよびＮＩＲＡＦデータは、３ＤハーフパイプビューおよびＮＩＲＡＦカーペットビューに一緒に表示されてもよい。
【００６６】
１つまたは複数の実施形態では、１つまたは複数のコントロールバーを上述のように使用して、イメージングモダリティのうちの１つまたは複数を観察、制御、修正、強調することなどを行うことができる。例えば、可動コントロールバーは、限定はしないが、トモビュー（例えば、ＯＣＴ画像２１を参照）、ＮＩＲＡＦカーペットビュー、長手方向（断面ビュー／生データ）ビュー、管腔プロファイル、および３Ｄハーフパイプビューなどを含むＧＵＩのビューのうちの１つまたは複数（全部ではないが）に含めることができる。コントロールバーの円弧は、断面トモビューの所定の部分（例えば、半分）を示すことができる。１つまたは複数のコントロールバーは、それぞれの端部に１つまたは２つのハンドルを有することができる。コントロールバーに２つのハンドルがある実施形態では、２つのハンドルは、（ｉ）トモビュー（例えば、ＯＣＴビュー２１を参照）などの特定のビュー上の円形回転方向において、および／または（ｉｉ）ＮＩＲＡＦカーペットビュー、長手方向（断面ビュー）、３Ｄハーフパイプビュー、管腔プロファイルビューなどの上の特定のビューでの水平方向においてドラッグ可能な（ドラッグまたは移動させることができる）エンドポイントとして動作することができる。２つのハンドルは、ＮＩＲＡＦデータの色の両極端を制限するエンドポイントとして動作することができる。例えば、トモビュー（例えば、ＯＣＴビュー２１）では、２つのハンドル（例えば、図３に関して上述で論じたようなハンドル３６Ａ、３６Ｂを参照）は、タッチ機能性を利用することができる。ＮＩＲＡＦカーペットビューおよび長手方向ビューのコントロールバーは、移動可能にすることができ、その結果、それぞれのコントロールバーは、左から右に（および／または右から左に）に移動するか、および／またはユーザが、所望のコントロールバーを選択して特定の画像位置に移動させることができる。
【００６７】
１つまたは複数の実施形態では、選択領域または関心領域を選択し、ビューに半円（または幾何学的に形作られた）区域を位置づけるために、１つまたは複数の手順を使用することができる。例えば、単一タッチが選択区域で行われた（例えば、タッチスクリーンを使用することによって、マウスまたは選択を行う他の入力デバイスを使用することよって、など）後、半円（または指定区域で使用される他の幾何学的形状）は、選ばれた選択領域または関心領域に自動的に適合することができる。２つの単一タッチポイントが、選択または関心領域を接続する／描くように動作することができる。トモビュー（例えば、ＯＣＴビュー２１）上の単一タッチは、トモビューのまわりを掃引するように動作することができ、選択または関心領域を形成するように接続させることができる。２つの指またはポインタを使用して、コントロールバーを回転させることができる（例えば、少なくとも図２または図３に示されたトモビュー上のＣＢ１  ５０では）。ＮＩＲＡＦカーペットビューの少なくとも１つの実施形態において、下部ハンドルが垂直に引き下げられると、トモビューの回転コントロールバーは１８０度よりも大きくなることができる。
【００６８】
１つまたは複数の実施形態は、上述で論じた機能（ｆｅａｔｕｒｅ）と異なる機能（ｆｅａｔｕｒｅ）を共有するかまたは有することができる。例えば、ＮＩＲＡＦデータカラーマップまたはビューは、上述で論じたような回転半円（円弧）とマージさせることができる（例えば、上述で論じた図１１を参照）。コントロールバー（例えば、ＣＢ１  ５０）がトモビュー（例えば、ビュー２１）上で回転されるとき、ＮＩＲＡＦの色の極端は、収集されたＮＩＲＡＦデータに応じて変わることができ、および／またはＮＩＲＡＦカーペットビューは、垂直にスクロールし、データを同時に更新することができる。ＮＩＲＡＦカーペットビューおよび長手方向ビュー上の１つまたは複数のコントロールバーが左から右に（および／または右から左に）移動するとき、ゲージのインジケータ（例えば、ゲージ４１Ｂを参照）は、どの色の極端が特定の画像位置で最もよく見えるかを示すことができる。コントロールバー（例えば、ＣＢ１  ５０）がトモビュー（例えば、ビュー２１）上で回転されるとき、長手方向ビュー（断面ビュー）、３Ｄハーフパイプビューは、垂直にスクロールし、データを同時に更新することができる。コントロールバー（例えば、ＣＢ１  ５０）がトモビュー（例えば、ビュー２１）上で回転されるとき、ＮＩＲＡＦカーペットビューは、静止したままでいることができ、コントロールバー（例えば、ＣＢ１  ５０、ＣＢ２  ５１、ＣＢ３  ５２など）のハンドル（例えば、ハンドル３６Ａ、３６Ｂ）は、調節可能とすることができる（例えば、半分の血管から完全な血管まで）。トモビューのコントロールバーのハンドルが円弧の反対方向に引かれるにつれて、円弧は大きくなることができ、トモ画像の視野は大きくなることができる。コントロールバーのマーカが両方ともトモビューの円弧の方に、すなわち、トモ画像の中心の方に近づくように引かれるとき、円弧は小さくなり、トモ画像の視野は小さくなる。
【００６９】
１つまたは複数の実施形態では、半円（または別の幾何学的形状の一部）から全円（または別の幾何学的図形の完全なバージョン）への間でまたはその逆の間で切り替える方法を使用することができる。例えば、半円と全円との間の間または逆の間の切替えのとき、ユーザは、円弧の形状を変更するために回転コントロールバーの中心ドットを選択し、それを拡大することができ、新しいドット場所の左右が、丸くなり、解除したときにドットに接続することになる。例えば、ユーザが、コントロールバー１  ５０を、ＯＣＴ画像２１のためにデータをすべて捕捉するように設定したい場合、１つまたは複数の実施形態では、３Ｄビューは、完全なパイプビューとする（全円を示す）ことができる。ＮＩＲＡＦの色の極端も、新しくまたは変更された形状に基づいて回転コントロールバーに表示するように更新することができる。コントロールバーの下部マーカは、円弧区域がトモ画像上でカバーする範囲を基準にして、血管のカーペットビューも示すように下方に拡大することができる。
【００７０】
図１５Ａは、本開示の１つまたは複数の態様によるマルチプルイメージングモダリティで使用することができるＯＣＴシステム１００（「システム１００（ｓｙｓｔｅｍ  １００）」または「システム１００（ｔｈｅ  ｓｙｓｔｅｍ  １００）」と本明細書で呼ぶ）を示す。システム１００は、光源１０１、参照アーム１０２、サンプルアーム１０３、被偏向または偏向セクション（ｄｅｆｌｅｃｔｅｄ  ｏｒ  ｄｅｆｌｅｃｔｉｎｇ  ｓｅｃｔｉｏｎ）１０８、参照ミラー（「参照反射部」、「参照反射器」、「部分的偏向ミラー」、および「部分的反射器」とも呼ぶ）１０５、および１つまたは複数の検出器１０７（コンピュータ１２００に接続することができる）を含む。１つまたは複数の実施形態では、システム１００は、患者インタフェースデバイスまたはユニット（「ＰＩＵ」）１１０およびカテーテル１２０（例えば、ＰＩＵならびに図１および図１５Ａ〜図１５Ｃに示されるようなカテーテルの実施形態の例を参照）を含むことができ、システム１００は、サンプル、対象物、患者（例えば、患者の血管）、ターゲット１０６と相互作用することができる（例えば、カテーテル１２０および／またはＰＩＵ１１０を介して）。１つまたは複数の実施形態では、システム１００は、干渉計を含み、または干渉計は、限定はしないが、少なくとも光源１０１、参照アーム１０２、サンプルアーム１０３、偏向セクション１０８、および参照ミラー１０５などのシステム１００の１つまたは複数の構成要素によって規定される。
【００７１】
本開示の１つまたは複数のさらなる態様によれば、ベンチトップシステムを、本明細書で開示するようなマルチプルイメージングモダリティで利用することができる。図１５Ｂは、眼科用途用などのベンチトップ用の本明細書で論じるマルチプルイメージングモダリティおよび関連方法を利用することができるシステムの一例を示す。光源１０１からの光が送り出され、偏向セクション１０８により参照アーム１０２とサンプルアーム１０３とに分かれる。参照ビームは長さ調整セクション９０４を通り抜け、参照アーム１０２の参照ミラー（図１５Ａに示された参照ミラーまたは参照反射部１０５などのまたはそれと同様の）から反射され、一方、サンプルビームは、サンプルアーム１０３中のサンプル、ターゲット、対象物、患者（例えば、患者の血管）など１０６から反射または散乱される（例えば、ＰＩＵ１１０およびカテーテル１２０を介して）。１つの実施形態では、両方のビームは、偏向セクション１０８で結合し、干渉パターンを発生する。１つまたは複数の実施形態では、ビームは結合器９０３に行き、結合器９０３は、サーキュレータ９０１および偏向セクション１０８を介して両方のビームを結合させ、結合したビームは、１つまたは複数の検出器（１つまたは複数の検出器１０７など）に送り出される。干渉計の出力は、１つまたは複数の検出器１０７などの１つまたは複数の検出器により連続的に取得される。電気アナログ信号は、デジタル信号に変換され、それは、限定はしないが、コンピュータ１２００（図１５Ａ〜図１５Ｃを参照、以下でさらに論じる図１７にも示される）、コンピュータ１２００’（例えば、以下でさらに論じる図１８を参照）などのようなコンピュータで分析される。追加としてまたは代替として、本明細書で論じるコンピュータ、ＣＰＵ、プロセッサなどのうちの１つまたは複数を使用して、マルチプルイメージングモダリティのうちの１つまたは複数を処理、制御、更新、強調、および／または変更し、および／または関連する技法、機能（ｆｕｎｃｔｉｏｎ）、または方法を処理し、または上述で論じたように電気信号を処理することができる。
【００７２】
本開示の１つまたは複数のさらなる態様によれば、本明細書で開示するようなマルチプルイメージングモダリティおよび関連方法のうちの１つまたは複数とともに１つまたは複数の他のシステムを利用することができる。図１５Ｃは、眼科用途用などの１つまたは複数のマルチプルイメージングモダリティおよび／または関連する技法および方法を利用することができるシステム１００”の一例を示す。光源１０１からの光が送り出され、ＯＣＴイメージングエンジン１５０の内部に配置された偏向セクション１０８（例えば、ビームスプリッタまたは本明細書で論じる他の偏向または被偏向セクション）により参照アーム１０２とサンプルアーム１０３とに分かれ、ＯＣＴイメージングエンジン１５０は、１つまたは複数の実施形態では、ＯＣＴ干渉計１５１（偏向セクション１０８を収容するかまたは含むことができる）と掃引型光源エンジン（ｓｗｅｐｔ  ｓｏｕｒｃｅ  ｅｎｇｉｎｅ）１５２とをさらに含むことができる。参照ビームは、参照ミラー（参照ミラーまたは参照反射部１０５など、例えば図１５Ａにも示されている）の距離を変更するように動作することができる長さ調節セクション９０４を通り抜けるかまたは通り過ぎることができ、参照アーム１０２中の参照反射部１０５から反射され、一方、サンプルビームは、サンプルアーム１０３中のサンプル、ターゲット、対象物、患者（例えば、患者の血管）など１０６から反射または散乱される。１つの実施形態では、両方のビームは、偏向セクション１０８で結合し、干渉パターンを発生する。１つまたは複数の実施形態では、結合したビームは、１つまたは複数の検出器に送り出される。干渉計１５１の出力は、１つまたは複数の検出器１０７などの１つまたは複数の検出器により連続的に取得される。電気アナログ信号は、デジタル信号に変換され、それは、限定はしないが、コンピュータ１２００（図１５Ａ〜図１５Ｃを参照、以下でさらに論じる図１７にも示される）、コンピュータ１２００’（例えば、以下でさらに論じる図１８を参照）などのようなコンピュータで分析される。追加としてまたは代替として、本明細書で論じるコンピュータ、ＣＰＵ、プロセッサなどのうちの１つまたは複数を使用して、マルチプルイメージングモダリティのうちの１つまたは複数を処理、制御、更新、強調、および／または変更し、および／または関連する技法、機能（ｆｕｎｃｔｉｏｎ）、または方法を処理し、または上述で論じたように電気信号を処理することができる。１つまたは複数の実施形態では、サンプルアーム１０３は、ＰＩＵ１１０とカテーテル１２０とを含み、その結果、サンプルビームは、本明細書で論じるようにサンプル、ターゲット、対象物、患者（例えば、患者の血管）など１０６から反射または散乱される。１つまたは複数の実施形態では、ＰＩＵ１１０は、カテーテル１２０（またはその１つまたは複数の構成要素）のプルバック操作を制御する、および／またはカテーテル１２０（またはその１つまたは複数の構成要素）の回転またはスピンを制御するために１つまた複数のモータを含むことができる。例えば、ＰＩＵ１１０は、プルバックモータ（ＰＭ）とスピンモータ（ＳＭ）とを含むことができ、および／またはプル��ックモータＰＭおよび／またはスピンモータＳＭを使用してプルバックおよび／または回転機能（ｆｅａｔｕｒｅ）を実行するように動作するモーションコントロールユニット１１２を含むことができる。本明細書で論じるように、ＰＩＵ１１０は、回転接合部（例えば、図１５Ｃに示されるような回転接合部ＲＪ）を含むことができる。回転接合部ＲＪは、カテーテル１２０が、サンプル、ターゲット、対象物、患者（例えば、患者の血管）など１０６の１つまたは複数のビューまたは画像を得ることができるようにスピンモータＳＭに接続することができる。コンピュータ１２００（またはコンピュータ１２００’）は、プルバックモータＰＭ、スピンモータＳＭ、および／またはモーションコントロールユニット１１２のうちの１つまたは複数を制御するために使用することができる。ＯＣＴシステムは、ＯＣＴエンジン１５０、コンピュータ（例えば、コンピュータ１２００、コンピュータ１２００’など）、ＰＩＵ１１０、カテーテル１２０、モニタなどのうちの１つまたは複数を含むことができる。ＯＣＴシステムの１つまたは複数の実施形態は、限定はしないが、アンギオシステム、外部ディスプレイ、１つまたは複数の病院ネットワーク、外部記憶媒体、電源、ベッドサイドコントローラ（例えば、ブルートゥース技術、または無線通信で知られている他の方法を使用してＯＣＴシステムに接続され得る）などの１つまたは複数の外部システムと相互作用することができる。
【００７３】
好ましくは、偏向または被偏向セクション１０８（図１５Ａ〜図１５Ｃにおいて最も良く分かる）を含む１つまたは複数の実施形態では、被偏向セクション１０８は、光源１０１からの光を参照アーム１０２および／またはサンプルアーム１０３に偏向させ、次いで、参照アーム１０２および／またはサンプルアーム１０３から受け取った光を少なくとも１つの検出器１０７（例えば、分光計、分光計の１つまたは複数の構成要素、別のタイプの検出器など）の方に送るように動作する。１つまたは複数の実施形態では、被偏向セクション（例えば、システム１００、１００’、１００”、本明細書で論じる任意の他のシステムなどの被偏向セクション１０８）は、限定はしないが、サーキュレータ、ビームスプリッタ、アイソレータ、カプラ（例えば、融着ファイバカプラ）、孔がある部分切断ミラー（ｐａｒｔｉａｌｌｙ  ｓｅｖｅｒｅｄ  ｍｉｒｒｏｒ）、タップをもつ部分切断ミラーなどを含む、本明細書で説明するように動作する１つまたは複数の干渉計または光学干渉系を含むかまたは備えることができる。１つまたは複数の実施形態では、干渉計または光学干渉系は、限定はしないが、光源１０１、被偏向セクション１０８、回転接合部ＲＪ、ＰＩＵ１１０、カテーテル１２０などの１つまたは複数のようなシステム１００（または本明細書で論じる任意の他のシステム）の１つまたは複数の構成要素を含むことができる。少なくとも図１〜図１５Ｃの前述の構成の１つまたは複数の機能（ｆｅａｔｕｒｅ）は、限定はしないが、本明細書で論じるシステム１００、１００’、１００”を含むシステムのうちの１つまたは複数に組み込むことができる。
【００７４】
そのような配置、構成、デバイス、またはシステムに限定されないが、本明細書で論じるデバイス、装置、システム、方法、記憶媒体、ＧＵＩなどの１つまたは複数の実施形態は、限定はしないが、例えば、システム１００、システム１００’、システム１００”、図１から図１５Ｃのデバイス、装置、またはシステム、本明細書で論じる任意の他のデバイス、装置、またはシステム、などのような、前述のような装置またはシステムで使用することができる。１つまたは複数の実施形態では、一人のユーザが、本明細書で論じる方法を実行することができる。１つまたは複数の実施形態では、一人または複数のユーザが、本明細書で論じる方法を実行することができる。１つまたは複数の実施形態では、本明細書で論じるコンピュータ、ＣＰＵ、プロセッサなどのうちの１つまたは複数を使用して、マルチプルイメージングモダリティのうちの１つまたは複数を処理、制御、更新、強調、および／または変更し、および／または関連する技法、機能（ｆｕｎｃｔｉｏｎ）、または方法を処理し、または上述で論じたように電気信号を処理することができる。
【００７５】
光源１０１は、複数の光源を含むことができ、または単一の光源とすることができる。光源１０１は、広帯域光源とすることができ、レーザ、有機発光ダイオード（ＯＬＥＤ）、発光ダイオード（ＬＥＤ）、ハロゲンランプ、白熱電球、レーザでポンピングされたスーパーコンティニウム光源、および／または蛍光灯のうちの１つまたは複数を含むことができる。光源１０１は、光を供給し、次いで、その光を分散させ、マルチプルイメージングモダリティのためのイメージング、制御の実行、観察、変更、強調を行う方法、および／または本明細書で論じる任意の他の方法のために使用される光を供給することができる任意の光源とすることができる。光源１０１は、装置および／またはシステム１００、１００’、１００”、図１〜図１５Ｃのデバイス、装置、またはシステム、あるいは本明細書で論じる任意の他の実施形態の他の構成要素にファイバ結合されてもよく、または自由空間結合されてもよい。前述のように、光源１０１は、掃引型光源（ＳＳ）光源とすることができる。
【００７６】
追加としてまたは代替として、１つまたは複数の検出器１０７は、リニアアレイ、電荷結合デバイス（ＣＣＤ）、複数のフォトダイオード、または光を電気信号に変換する何か他の方法とすることができる。検出器１０７は、アナログ−デジタル変換器（ＡＤＣ）を含むことができる。１つまたは複数の検出器は、図１〜図１５Ｃのうちの１つまたは複数に示したようなおよび上述で論じたような構造を有する検出器とすることができる。
【００７７】
本開示の１つまたは複数の態様によれば、イメージングを実行するための１つまたは複数の方法が、本明細書で提供される。図１６は、イメージングを実行する方法の少なくとも１つの実施形態の流れ図を示す。好ましくは、方法は、以下のもののうちの１つまたは複数を含むことができる。（ｉ）第１の光および第２の参照光に光を分けるかまたは分割するステップ（図１６のステップＳ４０００を参照）、（ｉｉ）第１の光がサンプルアームに沿って進み、対象物またはサンプルを照射した後の第１の光の反射光または散乱光を受け取るステップ（図１６のステップＳ４００１を参照）、（ｉｉｉ）第２の参照光が参照アームに沿って進み参照反射部から反射した後の第２の参照光を受け取るステップ（図１６のステップＳ４００２を参照）、および第１の光の反射または散乱光と反射された第２の参照光とを互いに干渉させることによって（例えば、結合または再結合させ、次いで干渉させることによって、干渉させることによって、など）干渉光を発生させ、干渉光が１つまたは複数の干渉パターンを発生するステップ（図１６のステップＳ４００３を参照）。１つまたは複数の方法は、高周波成分を更新または制御して画像品質を改善するために低周波モニタを使用するステップをさらに含むことができる。例えば、１つまたは複数の実施形態は、画像品質の改善を達成するために、マルチプルイメージングモダリティ、それのための関連方法または技法、などを使用することができる。１つまたは複数の実施形態では、イメージングプローブが、接続部材またはインタフェースモジュールにより１つまたは複数のシステム（例えば、システム１００、システム１００’、システム１００”、図１〜図１８のデバイス、装置、またはシステム、本明細書で論じる任意の他のシステムまたは装置、など）に接続され得る。例えば、接続部材またはインタフェースモジュールがイメージングプローブのための回転接合部である場合、回転接合部は、接触回転接合部、レンズレス回転接合部、レンズベース回転接合部、または当業者に知られている他の回転接合部のうちの少なくとも１つとすることができる。回転接合部は、１チャネル回転接合部または２チャネル回転接合部とすることができる。１つまたは複数の実施形態では、イメージングプローブの照明部分は、イメージングプローブの検出部分とは別にすることができる。例えば、１つまたは複数の用途では、プローブは、照明ファイバを含む照明アセンブリ（例えば、単一モードファイバ、ＧＲＩＮレンズ、スペーサおよびスペーサの研磨面上の回折格子、など）を指すことができる。１つまたは複数の実施形態では、スコープは、照明部分を指すことができ、照明部分は、例えば、ドライブケーブル、シース、およびシースのまわりの検出ファイバ（例えば、マルチモードファイバ（ＭＭＦ））で囲み保護することができる。回折格子範囲は、１つまたは複数の用途について検出ファイバ（例えば、ＭＭＦ）に対するオプションある。照明部分は、回転継手に接続されてもよく、ビデオレートで連続的に回転していてもよい。１つまたは複数の実施形態では、検出部分は、検出ファイバ、検出器（例えば、１つまたは複数の検出器１０７、分光計など）、コンピュータ１２００、コンピュータ１２００’などのうちの１つまた複数を含むことができる。検出ファイバは、照明ファイバを囲むことができ、検出ファイバは、回折格子、スペーサ、レンズ、プローブまたはカテーテルの端部などによって覆われてもよく覆われなくてもよい。
【００７８】
１つまたは複数の検出器１０７は、限定はしないが、画像プロセッサ、プロセッサまたはコンピュータ１２００、１２００’（例えば、図１５Ａ〜図１５Ｃおよび図１７〜図１８を参照）、それらの組合せなどのようなプロセッサまたはコンピュータにデジタル信号またはアナログ信号を送信することができる。画像プロセッサは、画像を処理するように構成された専用画像プロセッサまたは汎用プロセッサとすることができる。少なくとも１つの実施形態では、コンピュータ１２００、１２００’は、画像プロセッサの代わりにまたは画像プロセッサに加えて使用することができる。代替実施形態では、画像プロセッサは、ＡＤＣを含み、１つまたは複数の検出器１０７からアナログ信号を受け取ることができる。画像プロセッサは、ＣＰＵ、ＤＳＰ、ＦＰＧＡ、ＡＳＩＣ、または何か他の処理回路のうちの１つまたは複数を含むことができる。画像プロセッサは、画像、データ、および命令を格納するためのメモリを含むことができる。画像プロセッサは、１つまたは複数の検出器１０７によって供給された情報に基づいて１つまたは複数の画像を発生することができる。限定はしないが、図１〜図１５Ｃのデバイス、装置、またはシステムのプロセッサ、コンピュータ１２０００、コンピュータ１２００’、画像プロセッサなどの本明細書で論じるコンピュータまたはプロセッサは、本明細書において以下でさらに論じる１つまたは複数の構成要素をさらに含むことができる（例えば、図１７〜図１８を参照）。
【００７９】
少なくとも１つの実施形態では、コンソールまたはコンピュータ１２００、１２００’は、モーションコントロールユニット（ＭＣＵ）１１２またはモータＭを介してＲＪの運動を制御するように動作し、１つまたは複数の検出器１０７中の検出器から強度データを取得し、走査画像を表示する（例えば、図１５Ａ〜図１５Ｃおよび図１７のうちのいずれかのコンソールまたはコンピュータ１２００、および／または以下でさらに論じるような図１８のコンソール１２００’に示されるようなディスプレイ、スクリーン、またはモニタ１２０９などのモニタまたはスクリーンに）。１つまたは複数の実施形態では、ＭＣＵ１１２またはモータＭは、ＲＪのモータおよび／またはＲＪの速度を変更するように動作する。モータは、速度を制御し位置決め精度を向上させる（例えば、モータを使用しない場合と比べて、自動型または制御型速度および／または位置変更デバイスを使用しない場合と比べて、手動制御と比べて、など）ためにステッピングまたはＤＣサーボモータとすることができる。
【００８０】
本明細書で論じるシステムのうちのいずれかの１つまたは複数の構成要素の出力は、例えば、限定はしないが、フォトダイオード、光電子増倍管（ＰＭＴ）、ラインスキャンカメラ、またはマルチアレイカメラなどの少なくとも１つの検出器１０７により取得することができる。システム１００、１００’、１００”、および／またはその検出器１０７の出力から、および／または図１〜図１５Ｃのデバイス、装置、またはシステムから得られた電気アナログ信号は、デジタル信号に変換されて、限定はしないが、コンピュータ１２００、１２００’などのコンピュータにより分析される。１つまたは複数の実施形態では、光源１０１は、広帯域の波長で放射する放射光源または広帯域光源とすることができる。１つまたは複数の実施形態では、ソフトウェアおよび電子機器を含むフーリエ分析器を使用して、電気アナログ信号を光スペクトルに変換することができる。
【００８１】
本明細書で特に論じない限り、同様の数字は同様の要素を示す。例えば、限定はしないが、システム１００、システム１００’、システム１００”、あるいは本明細書で論じる任意の他のデバイス、装置、またはシステムなどのシステムの間に変異または差異が存在するが、それの１つまたは複数の機能（ｆｅａｔｕｒｅ）、例えば、限定はしないが、光源１０１、またはそれ（例えば、コンソール１２００、コンソール１２００’など）の他の構成要素などは、互いに同じまたは同様であり得る。光源１０１、モータまたはＭＣＵ１１２、ＲＪ、少なくとも１つの検出器１０７、および／またはシステム１００の１つまたは複数の他の要素は、限定はしないが、図１〜図１５Ｃのデバイス、装置、またはシステム、システム１００’、システム１００”、あるいは本明細書で論じる任意の他のシステムなどの１つまたは複数の他のシステムのそれらの同様の番号の要素と同じようにまたは同様に動作することができることを当業者は理解されよう。図１〜図１５Ｃのデバイス、装置、またはシステム、システム１００’、システム１００”、本明細書で論じる任意の他のデバイス、装置、またはシステム、など、および／またはそのようなシステムのうちの１つに属する１つまたは複数の同様の番号の要素の代替実施形態は、本明細書で論じるように他の変形を有するが、本明細書で論じる他のシステム（またはその構成要素）のうちのいずれかの同様の番号の要素と同じようにまたは同様に動作することができることを当業者は理解されよう。実際は、本明細書で論じるように、例えば、図１５Ａのシステム１００と、図１〜図１４および図１５Ｂ〜図１５Ｃのうちのいずれかに示された１つまたは複数の実施形態との間に若干の差異はあるが、類似性がある。同様に、コンソールまたはコンピュータ１２００は、１つまたは複数のシステム（例えば、システム１００、システム１００’、システム１００”、図１〜図１８のうちのいずれかのデバイス、装置、またはシステム、あるいは本明細書で論じる任意の他のシステム、など）で使用することができるが、コンソールまたはコンピュータ１２００’などの１つまたは複数の他のコンソールまたはコンピュータが、追加としてまたは代替として使用されてもよい。
【００８２】
強度、粘度、解像度（１つまたは複数の画像の解像度を向上させることを含む）などを計算する、および／または本明細書で論じるマルチプルイメージングモダリティおよび／またはそれのための関連方法をデジタルならびにアナログで使用する多くの方法がある。少なくとも１つの実施形態では、コンソールまたはコンピュータ１２００、１２００’などのコンピュータは、本明細書で説明するイメージング（例えば、ＯＣＴ、シングルモードＯＣＴ、マルチモードＯＣＴ、マルチプルイメージングモダリティなど）デバイス、システム、方法、および／または記憶媒体を制御およびモニタするために専用とすることができる。
【００８３】
イメージングのために使用される電気信号は、以下でさらに論じるように、限定はしないが、コンピュータまたはプロセッサ２（例えば、図１を参照）、コンピュータ１２００（例えば、図１５Ａ〜図１５Ｃおよび図１７を参照）、コンピュータ１２００’（例えば、図１８を参照）などのような１つまたは複数のプロセッサに、限定はしないが、ケーブルまたはワイヤ１１３（図１７を参照）などのケーブルまたはワイヤを介して送ることができる。追加としてまたは代替として、電気信号は、前述のように、上述で論じたような１つまたは複数の実施形態では、任意の他のコンピュータまたはプロセッサ、あるいはその構成要素で処理することができる。図１に示したようなコンピュータまたはプロセッサ２が、本明細書で論じる任意の他のコンピュータまたはプロセッサ（例えば、コンピュータまたはプロセッサ１２００、１２００’など）の代わりに使用されてもよく、および／またはコンピュータまたはプロセッサ１２００、１２００’が、本明細書で論じる任意の他のコンピュータまたはプロセッサ（例えば、コンピュータまたはプロセッサ２）の代わりに使用されてもよい。言い換えれば、本明細書で論じるコンピュータまたはプロセッサは、交換可能であり、１つのＧＵＩまたは多数のＧＵＩを使用、制御、変更することを含めて、本明細書で論じるマルチプルイメージングモダリティ機能（ｆｅａｔｕｒｅ）および方法のうちのいずれかを実行するように動作することができる。
【００８４】
コンピュータシステム１２００の様々な構成要素が、図１７に提供されている。コンピュータシステム１２００は、中央処理装置（「ＣＰＵ」）１２０１、ＲＯＭ１２０２、ＲＡＭ１２０３、通信インタフェース１２０５、ハードディスク（および／または他の記憶デバイス）１２０４、スクリーン（またはモニタインタフェース）１２０９、キーボード（または入力インタフェース；キーボードに加えてマウスまたは他の入力デバイスをさらに含むことができる）１２１０、および前述の構成要素のうちの１つまたは複数の間のＢＵＳ（もしくは「Ｂｕｓ」）または他の接続ライン（例えば、接続ライン１２１３）（例えば、限定はしないが、コンソール、プローブ、イメージング装置またはシステム、本明細書で論じる任意のモータ、光源などに接続されることを含む）を含むことができる。加えて、コンピュータシステム１２００は、前述の構成要素のうちの１つまたは複数を含むことができる。例えば、コンピュータシステム１２００は、ＣＰＵ１２０１、ＲＡＭ１２０３、入出力（Ｉ／Ｏ）インタフェース（通信インタフェース１２０５など）、およびバス（コンピュータシステム１２００の構成要素間の通信システムとして１つまたは複数のライン１２１３を含むことができる；１つまたは複数の実施形態では、コンピュータシステム１２００およびそれの少なくともＣＰＵ１２０１は、限定はしないが、本明細書で論じるような１つまたは複数のイメージングモダリティおよび関連方法を使用する装置またはシステムなどのデバイスまたはシステムの１つまたは複数の前述の構成要素と通信することができる）を含むことができ、１つまたは複数の他のコンピュータシステム１２００は、他の前述の構成要素の１つまたは複数の組合せを含むことができる（例えば、コンピュータ１２００の１つまたは複数のライン１２１３は、ライン１１３を介して他の構成要素に接続することができる）。ＣＰＵ１２０１は、記憶媒体に格納されたコンピュータ実行可能命令を読み出し実行するように構成される。コンピュータ実行可能命令は、本明細書で説明する方法および／または計算の実行のためのものを含むことができる。システム１２００は、ＣＰＵ１２０１に加えて１つまたは複数の追加のプロセッサを含むことができ、ＣＰＵ１２０１を含むそのようなプロセッサは、組織またはサンプルの特性決定、診断、評価、および／またはイメージングのために使用することができる。システム１２００は、ネットワーク接続を介して（例えば、ネットワーク１２０６を介して）接続される１つまたは複数のプロセッサをさらに含むことができる。システム１２００によって使用されるＣＰＵ１２０１および任意の追加のプロセッサは、同じ通信ネットワークまたは異なる通信ネットワークに配置することができる（例えば、本明細書で論じる機能（ｆｅａｔｕｒｅ）、機能（ｆｕｎｃｔｉｏｎ）、技法、方法などの実行を、遠隔で制御することができる）。
【００８５】
Ｉ／Ｏまたは通信インタフェース１２０５は、光源、分光計、マイクロホン、通信ケーブルおよびネットワーク（有線または無線）、キーボード１２１０、マウス（例えば、図１８に示されるようなマウス１２１１）、タッチスクリーンまたはスクリーン１２０９、ライトペンなどを含むことができる入出力デバイスに通信インタフェースを提供する。コンピュータ１２００の通信インタフェースは、ライン１１３（図１７に図式的に示したような）を介して本明細書で論じる他の構成要素に接続することができる。モニタインタフェースまたはスクリーン１２０９は、それに通信インタフェースを備える。
【００８６】
例えば、本明細書で論じるような、組織またはサンプルの特性決定、診断、検査、および／またはイメージングを実行する（限定はしないが、画像解像度を向上させる、マルチプルイメージングモダリティを使用してイメージングを実行する、１つまたは複数のマルチプルイメージングモダリティおよび関連方法（および／またはオプションまたは機能（ｆｅａｔｕｒｅ））を観察または変更する、などを含む）ための方法などの本開示の任意の方法および／またはデータは、コンピュータ可読記憶媒体に格納することができる。限定はしないが、ハードディスク（例えば、ハードディスク１２０４、磁気ディスクなど）、フラッシュメモリ、ＣＤ、光ディスク（例えば、コンパクトディスク（「ＣＤ」）、デジタル多用途ディスク（「ＤＶＤ」）、Ｂｌｕ−ｒａｙ（商標）ディスクなど）、光磁気ディスク、ランダムアクセスメモリ（「ＲＡＭ」）（ＲＡＭ１２０３など）、ＤＲＡＭ、読出し専用メモリ（「ＲＯＭ」）、分散コンピューティングシステムの記憶装置、メモリカードなど（例えば、限定はしないが、不揮発性メモリカード、ソリッドステートドライブ（ＳＳＤ）（図１８のＳＳＤ１２０７を参照）、ＳＲＡＭなどのような他の半導体メモリ）、それらのオプションの組合せ、サーバ／データベースのうちの１つまたは複数などのような一般に使用されるコンピュータ可読および／または書込み可能記憶媒体を、前述のコンピュータシステム１２００のプロセッサまたはＣＰＵ１２０１などのプロセッサに本明細書で開示する方法のステップを実行させるために使用することができる。コンピュータ可読記憶媒体は非一時的コンピュータ可読媒体とすることができ、および／またはコンピュータ可読媒体は、すべてのコンピュータ可読媒体を含むことができ、唯一の例外は１つまたは複数の実施形態における一時的伝搬信号である。コンピュータ可読記憶媒体は、限定はしないが、ランダムアクセスメモリ（ＲＡＭ）、レジスタメモリ、プロセッサキャッシュなどのような所定のまたは限定されたまたは短い期間の間、および／または電力が存在する状態でのみ情報を格納する媒体を含むことができる。本開示の実施形態は、さらに、上述の実施形態のうちの１つまたは複数の機能（ｆｕｎｃｔｉｏｎ）を実行するために、記憶媒体（より完全には「非一時的コンピュータ可読記憶媒体」と呼ぶこともできる）に記録されたコンピュータ実行可能命令（例えば、１つまたは複数のプログラム）を読み出し実行する、および／または上述の実施形態のうちの１つまたは複数の機能（ｆｕｎｃｔｉｏｎ）を実行するために１つまたは複数の回路（例えば、特定用途向け集積回路（ＡＳＩＣ））を含むシステムまたは装置のコンピュータによって、および例えば、上述の実施形態のうちの１つまたは複数の機能（ｆｕｎｃｔｉｏｎ）を実行するために記憶媒体からコンピュータ実行可能命令を読み出し実行する、および／または上述の実施形態のうちの１つまたは複数の機能（ｆｕｎｃｔｉｏｎ）を実行するために１つまたは複数の回路を制御することによりシステムまたは装置のコンピュータで実行される方法によって実現することができる。
【００８７】
本開示の少なくとも１つの態様によれば、限定はしないが、上述のように前述のコンピュータ１２００のプロセッサなどのようなプロセッサに関連する方法、システム、およびコンピュータ可読記憶媒体は、図に示されたものなどの適切なハードウェアを利用して達成することができる。本開示の１つまたは複数の態様の機能性は、図１７に示されたものなどの適切なハードウェアを利用して達成することができる。そのようなハードウェアは、標準デジタル回路などの知られている技術のうちのいずれか、ソフトウェアおよび／またはファームウェアプログラムを実行するように動作可能であることが知られているプロセッサのうちのいずれか、プログラマブル読出し専用メモリ（ＰＲＯＭ）、プログラマブルアレイロジックデバイス（ＰＡＬ）などのような１つまたは複数のプログラマブルデジタルデバイスまたはシステムを利用して実施することができる。ＣＰＵ１２０１（図１７に示したような）、プロセッサまたはコンピュータ２（図１に示したような）、および／またはコンピュータまたはプロセッサの１２００’（図１８に示したような）は、１つまたは複数のマイクロプロセッサ、ナノプロセッサ、１つまたは複数のグラフィック処理ユニット（「ＧＰＵ」；ビジュアル処理ユニット（「ＶＰＵ」）とも呼ばれる）、１つまたは複数のフィールドプログラマブルゲートアレイ（「ＦＰＧＡ」）、または他のタイプの処理構成要素（例えば、特定用途向け集積回路（ＡＳＩＣ）をさらに含む、および／またはそれから製作することができる。なおもさらに、本開示の様々な態様は、適切な記憶媒体（例えば、コンピュータ可読記憶媒体、ハードドライブなど）、または運搬性および／または配布のための媒体（フロッピーディスク、メモリチップなどのような）に格納することができるソフトウェアおよび／またはファームウェアプログラムとして実施することができる。コンピュータは、コンピュータ実行可能命令を読み出し実行するために別個のコンピュータまたは別個のプロセッサのネットワークを含むことができる。コンピュータ実行可能命令は、例えば、ネットワークまたは記憶媒体からコンピュータに供給することができる。コンピュータまたはプロセッサ（例えば、２、１２００、１２００’など）は、前述のＣＰＵ構造を含むことができ、またはそのようなＣＰＵ構造と通信するためにそれに接続することができる。
【００８８】
前述のように、コンピュータまたはコンソール１２００’の代替実施形態のハードウェア構造が、図１８に示される。コンピュータ１２００’は、中央処理装置（ＣＰＵ）１２０１、グラフィカル処理ユニット（ＧＰＵ）１２１５、ランダムアクセスメモリ（ＲＡＭ）１２０３、ネットワークインタフェースデバイス１２１２、ユニバーサルシリアルバス（ＵＳＢ）などの操作インタフェース１２１４、およびハードディスクドライブまたはソリッドステートドライブ（ＳＳＤ）１２０７などのメモリを含む。好ましくは、コンピュータまたはコンソール１２００’は、ディスプレイ１２０９を含む。コンピュータ１２００’は、操作インタフェース１２１４またはネットワークインタフェース１２１２を介して（例えば、図１７に同じように示されているようなケーブルまたはファイバ１１３などのケーブルまたはファイバを介して）モータ、コンソール、あるいは本明細書で論じるデバイスまたはシステムの任意の他の構成要素に接続され得る。コンピュータ１２００’などのコンピュータは、１つまたは複数の実施形態ではモータまたはモーションコントロールユニット（ＭＣＵ）を含むことができる。操作インタフェース１２１４は、マウスデバイス１２１１、キーボード１２１０、またはタッチパネルデバイスなどの操作ユニットに接続される。コンピュータ１２００’は、各構成要素のうちの２つ以上を含むことができる。
【００８９】
少なくとも１つのコンピュータプログラムが、ＳＳＤ１２０７に格納され、ＣＰＵ１２０１は、少なくとも１つのプログラムをＲＡＭ１２０３にロードし、本明細書で説明する１つまたは複数のプロセスならびに基本入力、出力、計算、メモリ書込みおよびメモリ読出しプロセスを実行するために少なくとも１つのプログラムの命令を実行する。
【００９０】
コンピュータ２、コンピュータ１２００、１２００’、（または、限定はしないが、ＰＣＵなどのような他の構成要素）などのようなコンピュータは、イメージングを実行するためにＭＣＵ、干渉計、分光計、検出器などと通信することができ、取得した強度データから画像を再構成する。モニタまたはディスプレイ１２０９は、再構成された画像を表示し、イメージング条件、またはイメージングされるべき対象物に関する他の情報を表示することができる。モニタ１２０９は、さらに、ユーザが本明細書で論じる任意のシステムを操作するためにグラフィカルユーザインタフェースを備える。操作信号は、操作ユニット（例えば、限定はしないが、マウスデバイス１２１１、キーボード１２１０、タッチパネルデバイスなど）からコンピュータ１２００’の操作インタフェース１２１４に入力され、操作信号に対応して、コンピュータ１２００’は、本明細書で論じる任意のシステムに、イメージング条件を設定または変更する（例えば、１つまたは複数の画像の解像度を改善する）、およびイメージングを開始または終了するように命じる。光源またはレーザ源および分光計および／または検出器は、コンピュータ１２００，１２００’と通信して状況情報および制御信号を送受するためにインタフェースを有することができる。
【００９１】
同様に、本開示、および／またはデバイス、システム、および記憶媒体の１つまたは複数の構成要素、および／またはその方法は、さらに、光干渉断層撮影プローブとともに使用することができる。そのようなプローブは、限定はしないが、米国特許第６，７６３，２６１号、第７，３６６，３７６号、第７，８４３，５７２号、第７，８７２，７５９号、第８，２８９，５２２号、第８，６７６，０１３号、第８，９２８，８８９号、第９，０８７，３６８号、第９，５５７，１５４号、および米国特許出願公開第２０１４／０２７６０１１号、第２０１７／０１３５５８４号、およびＴｅａｒｎｅｙらへのＷＯ２０１６／０１５０５２に開示されているＯＣＴ画像処理システム、Ｔｅａｒｎｅｙらへの米国特許第７，８８９，３４８号に開示されているものなどの光ルミネッセンスイメージングを容易にする構成および方法、ならびに米国特許第９，３３２，９４２号、米国特許出願公開第２０１０／００９２３８９号、第２０１１／０２９２４００号、第２０１２／０１０１３７４号、第２０１６／０２２８０９７号、およびＷＯ２０１６／１４４８７８に開示されているマルチモダリティイメージングに関する開示を含み、それらの特許および特許公開の各々は、全体が参照により本明細書に組み込まれる。
【００９２】
本明細書の開示が特定の実施形態を参照して説明されたが、これらの実施形態は、本開示の原理および用途の単なる例示であり（それに限定されず）、本発明は開示された実施形態に限定されないことを理解されたい。それゆえに、多数の変更が例示の実施形態になされてもよく、他の構成が本開示の趣旨および範囲から逸脱することなく考案され得ることを理解されたい。以下の特許請求の範囲は、すべてのそのような変更と等価な構成および機能（ｆｕｎｃｔｉｏｎ）とを包含するように最も広い解釈を与えられるべきである。
【図１】
2019217263.tif 000003
【図２】
2019217263.tif 000004
【図３】
2019217263.tif 000005
【図４】
2019217263.tif 000006
【図５Ａ】
2019217263.tif 000007
【図５Ｂ】
2019217263.tif 000008
【図６】
2019217263.tif 000009
【図７】
2019217263.tif 000010
【図８】
2019217263.tif 000011
【図９】
2019217263.tif 000012
【図１０】
2019217263.tif 000013
【図１１】
2019217263.tif 000014
【図１２】
2019217263.tif 000015
【図１３】
2019217263.tif 000016
【図１４】
2019217263.tif 000017
【図１５Ａ】
2019217263.tif 000018
【図１５Ｂ】
2019217263.tif 000019
【図１５Ｃ】
2019217263.tif 000020
【図１６】
2019217263.tif 000021
【図１７】
2019217263.tif 000022
【図１８】
2019217263.tif 000023
【外国語明細書】
2019217263000001.pdf